(57)【要約】【課題】一台のリモコンで制御する制御機器の台数や、制御機器の操作項目を増やせば増やすほど、リモコンに設置するボタンの数が増えたり、ユーザに制御機器や操作項目を選択させるための機能をリモコンに設けたりしていたので、ユーザが行なう操作が複雑なものになっていた。【解決手段】１つまたは複数の制御機器の各々に対応する制御信号を送信可能な制御信号送信手段を備えた制御端末において、計測値に基づいて表示する制御機器リストの表示の順序を制御するので、ユーザは使用したい制御機器を簡単に選択できる。【選択図】        図１
2007158565.tif 000002
【特許請求の範囲】
【請求項１】
１つまたは複数の制御機器の各々に対応する制御信号を送信可能な制御信号送信手段を備えた制御端末において、
制御可能な前記制御機器のリストである制御機器リストを表示する表示手段と、
前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、
前記計測値取得手段により取得された計測値または計測値に基づく情報に基づいて、前記制御機器リストの表示の順序を制御する制御機器リスト表示制御手段と、
前記制御機器リストの中から使用する前記制御機器をユーザが選択可能な制御機器選択手段と、
前記選択手段により選択された前記制御機器に対応する制御信号を送信するように前記制御信号送信手段を制御する送信信号制御手段とを備えたことを特徴とする制御端末。
【請求項２】
前記表示手段は、前記選択手段により使用する前記制御機器が選択された場合、選択された前記制御機器の操作項目のリストである操作項目リストを表示し、
前記計測値取得手段により取得された計測値または計測値に基づく情報に基づいて、前記操作項目リストの表示の順序を制御する操作項目リスト表示制御手段と、
前記操作項目リストの中から操作項目をユーザが選択可能な操作項目選択手段とを備え、
前記送信信号制御手段は、前記選択手段により選択された前記操作項目に対応する制御信号を送信するように前記制御信号送信手段を制御することを特徴とする請求項１記載の制御端末。
【請求項３】
前記計測値取得手段は、接触温度を計測する接触温度センサ、発汗量を計測する発汗センサ、心拍数を計測する心拍センサ、照度を計測する照度センサ、気温を計測する温度センサ、湿度を計測する湿度センサ、音を計測する音センサ、対象物の識別情報を無線タグから無線通信により受信する識別情報受信手段のうち、少なくとも１つの前記計測手段から前記計測値を取得することを特徴とする請求項１または請求項２記載の制御端末。
【請求項４】
推論モードと通常モードとの選択を受け付けるモード受付手段を備え、
推論モードの選択を受け付けた場合に、前記制御機器リスト表示制御手段が、計測値または計測値に基づく情報に基づいて前記制御機器リストの表示の順序を制御することを特徴とする請求項１から請求項３のいずれかに記載の制御端末。
【請求項５】
１つまたは複数の制御機器に対して制御信号を送信可能な制御信号送信手段を備えた制御端末において、
前記制御機器の操作項目のリストである操作項目リストを表示する表示手段と、
前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、
前記計測値取得手段により取得された計測値または計測値に基づく情報に基づいて、前記操作項目リストの表示の順序を制御する操作項目リスト表示制御手段と、
前記操作項目リストの中から操作項目をユーザが選択可能な操作項目選択手段と、
前記選択手段により選択された前記操作項目に対応する制御信号を送信するように前記制御信号送信手段を制御する前記送信信号制御手段とを備えたことを特徴とする制御端末。
【請求項６】
１つまたは複数の制御機器の各々に対応する制御信号を送信可能な制御信号送信手段と、制御可能な前記制御機器のリストである制御機器リストを表示する表示手段とを備えた制御端末のコンピュータを、
前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、
前記計測値取得手段により取得された計測値または計測値に基づく情報に基づいて、前記制御機器リストの表示の順序を制御する制御機器リスト表示制御手段と、
前記制御機器リストの中から使用する前記制御機器をユーザが選択可能な制御機器選択手段と、
前記選択手段により選択された前記制御機器に対応する制御信号を送信するように前記制御信号送信手段を制御する送信信号制御手段として機能させることを特徴とする制御端末プログラム。
【請求項７】
１つまたは複数の制御機器に対して制御信号を送信可能な制御信号送信手段と、前記制御機器の操作項目のリストである操作項目リストを表示する表示手段とを備えた制御端末のコンピュータを、
前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、
前記計測値取得手段により取得された計測値または計測値に基づく情報に基づいて、前記操作項目リストの表示の順序を制御する操作項目リスト表示制御手段と、
前記操作項目リストの中から操作項目をユーザが選択可能な操作項目選択手段と、
前記選択手段により選択された前記操作項目に対応する制御信号を送信するように前記制御信号送信手段を制御する前記送信信号制御手段として機能させることを特徴とする制御端末プログラム。
【発明の詳細な説明】
【技術分野】
【０００１】
本発明は、制御端末及び制御端末プログラムに関する。
【背景技術】
【０００２】
従来、一台のリモコンなどの制御端末で複数の制御機器（エアコンやテレビ等）を操作する技術が、特許文献１および特許文献２により知られている。
【０００３】
【特許文献１】特開昭６２−１７３８９７号公報
【特許文献２】特開昭６２−２５６６００号公報
【発明の開示】
【発明が解決しようとする課題】
【０００４】
しかしながら、従来の制御端末においては、一台のリモコンで制御する制御機器の台数や、制御機器の操作項目を増やせば増やすほど、リモコンに設置するボタンの数が増えたり、ユーザに制御機器や操作項目を選択させるための機能をリモコンに設けたりしていたので、ユーザが行なう操作が複雑なものになっていた。
【０００５】
本発明は、上述の問題を解決するためになされたものであり、操作が簡単な制御端末及び制御端末プログラムを提供することを目的とする。
【課題を解決するための手段】
【０００６】
この目的を達成するために、請求項１記載の制御端末は、１つまたは複数の制御機器の各々に対応する制御信号を送信可能な制御信号送信手段を備えた制御端末であって、制御可能な前記制御機器のリストである制御機器リストを表示する表示手段と、前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、前記計測値取得手段により取得された計測値または計測値に基づく情報に基づいて、前記制御機器リストの表示の順序を制御する制御機器リスト表示制御手段と、前記制御機器リストの中から使用する前記制御機器をユーザが選択可能な制御機器選択手段と、前記選択手段により選択された前記制御機器に対応する制御信号を送信するように前記制御信号送信手段を制御する送信信号制御手段とを備えたことを特徴とする。
【０００７】
また、請求項２記載の制御端末は、請求項１記載の制御端末であって、前記表示手段は、前記選択手段により使用する前記制御機器が選択された場合、選択された前記制御機器の操作項目のリストである操作項目リストを表示し、前記計測値取得手段により取得された計測値または計測値に基づく情報に基づいて、前記操作項目リストの表示の順序を制御する操作項目リスト表示制御手段と、前記操作項目リストの中から操作項目をユーザが選択可能な操作項目選択手段とを備え、前記送信信号制御手段は、前記選択手段により選択された前記操作項目に対応する制御信号を送信するように前記制御信号送信手段を制御することを特徴とする。
【０００８】
また、請求項３記載の制御端末は、請求項１または請求項２記載の制御端末であって、前記計測値取得手段は、接触温度を計測する接触温度センサ、発汗量を計測する発汗センサ、心拍数を計測する心拍センサ、照度を計測する照度センサ、気温を計測する温度センサ、湿度を計測する湿度センサ、音を計測する音センサ、対象物の識別情報を無線タグから無線通信により受信する識別情報受信手段のうち、少なくとも１つの前記計測手段から前記計測値を取得することを特徴とする。
【０００９】
また、請求項４記載の制御端末は請求項１から請求項３のいずれかに記載の制御端末であって、推論モードと通常モードとの選択を受け付けるモード受付手段を備え、推論モードの選択を受け付けた場合に、前記制御機器リスト表示制御手段が、計測値または計測値に基づく情報に基づいて前記制御機器リストの表示の順序を制御することを特徴とする。
【００１０】
また、請求項５記載の制御端末は、１つまたは複数の制御機器に対して制御信号を送信可能な制御信号送信手段を備えた制御端末であって、前記制御機器の操作項目のリストである操作項目リストを表示する表示手段と、前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、前記計測値取得手段により取得された計測値または計測値に基づく情報に基づいて、前記操作項目リストの表示の順序を制御する操作項目リスト表示制御手段と、前記操作項目リストの中から操作項目をユーザが選択可能な操作項目選択手段と、前記選択手段により選択された前記操作項目に対応する制御信号を送信するように前記制御信号送信手段を制御する前記送信信号制御手段とを備えたことを特徴とする。
【００１１】
また、請求項６記載の制御端末プログラムは、１つまたは複数の制御機器の各々に対応する制御信号を送信可能な制御信号送信手段と、制御可能な前記制御機器のリストである制御機器リストを表示する表示手段とを備えた制御端末のコンピュータを、前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、前記計測値取得手段により取得された計測値または計測値に基づく情報に基づいて、前記制御機器リストの表示の順序を制御する制御機器リスト表示制御手段と、前記制御機器リストの中から使用する前記制御機器をユーザが選択可能な制御機器選択手段と、前記選択手段により選択された前記制御機器に対応する制御信号を送信するように前記制御信号送信手段を制御する送信信号制御手段として機能させることを特徴とする。
【００１２】
また、請求項７記載の制御端末プログラムは、１つまたは複数の制御機器に対して制御信号を送信可能な制御信号送信手段と、前記制御機器の操作項目のリストである操作項目リストを表示する表示手段とを備えた制御端末のコンピュータを、前記制御端末のユーザの生体情報、前記制御端末の周囲の環境の情報、前記制御端末の周囲に存在する対象物の識別情報のうちの少なくとも１つを計測する１つ又は複数の計測手段から計測値を取得する計測値取得手段と、前記計測値取得手段により取得された計測値または計測値に基づく情報に基づいて、前記操作項目リストの表示の順序を制御する操作項目リスト表示制御手段と、前記操作項目リストの中から操作項目をユーザが選択可能な操作項目選択手段と、前記選択手段により選択された前記操作項目に対応する制御信号を送信するように前記制御信号送信手段を制御する前記送信信号制御手段として機能させることを特徴とする制御端末プログラム。
【発明の効果】
【００１３】
請求項１記載の制御端末によれば、計測値または計測値に基づく情報に基づいて表示される制御機器リストの表示の順序が制御されるので、ユーザが使用したい制御機器を簡単に選択できる。
【００１４】
また、請求項２記載の制御端末によれば、請求項１記載の制御端末が奏する効果に加え、計測値または計測値に基づく情報に基づいて表示される操作項目リストの表示の順序が制御されるので、ユーザが使用したい制御機器の操作を簡単に選択できる。
【００１５】
また、請求項３記載の制御端末によれば、請求項１または請求項２のいずれかに記載の制御端末が奏する効果に加え、接触温度を計測する接触温度センサ、発汗量を計測する発汗センサ、心拍数を計測する心拍センサ、照度を計測する照度センサ、気温を計測する温度センサ、湿度を計測する湿度センサ、音を計測する音センサ、対象物の識別情報を無線タグから無線通信により受信する識別情報受信手段のうち、少なくとも１つから計測した計測値に基づいて、表示される制御機器リストの表示の順序が制御されるので、ユーザが使用したい制御機器の操作を簡単に選択できる。
【００１６】
また請求項４記載の制御端末によれば、推論モードと通常モードとの選択が可能になり、推論モードが選択された場合に、計測値または計測値に基づく情報に基づいて表示される制御機器リストの順序が制御される。
【００１７】
また、請求項５記載の制御端末によれば、複数の制御機器が存在したとしても制御機器の操作項目リストが直接表示され、且つ、計測値または計測値に基づく情報に基づいて表示される制御機器の操作項目リストの順序が制御されるので、使用したい制御機器の操作を簡単に選択できる。
【００１８】
また、請求項６記載の制御端末プログラムによれば、計測値または計測値に基づく情報に基づいて表示される制御機器リストの表示の順序が制御されるので、ユーザが使用したい制御機器を簡単に選択できる。
【００１９】
また、請求項７記載の制御端末プログラムによれば、複数の制御機器が存在したとしても制御機器の操作項目リストが直接表示され、且つ、計測値または計測値に基づく情報に基づいて表示される制御機器の操作項目リストの順序が制御されるので、使用したい制御機器の操作を簡単に選択できる。
【発明を実施するための最良の形態】
【００２０】
以下、本発明の実施形態を図面を参照して説明する。第１の実施形態では、本発明の制御端末１において、制御端末１のユーザの生体の情報（体温、心拍数など。以下「生体情報」とよぶ。）を計測して、ユーザの生体の状態（緊張、眠いなど。以下、「生体状態」とよぶ。）を推論し、その生体状態に合わせた制御機器リスト及び操作項目リストを表示する。
【００２１】
第２の実施形態では、本発明の制御端末１０２において、制御端末１０２が存在する周囲の環境の情報（明るさ、湿度など。以下、「環境情報」とよぶ。）を計測し、周囲の環境の状態（蒸し暑い昼間の屋外、寒い夜、騒がしい室内など。以下、「環境状態」とよぶ。）を推論し、その環境の状態に合わせた制御機器リスト及び操作項目リストを表示する。
【００２２】
第３の実施形態では、本発明の制御端末１０３において、制御端末１０３の周囲に存在する物（以下、対象物と称す）の種類から、その状態にあわせた制御機器リスト及び操作項目リストを表示する。なお、対象物の種類の把握にはＲＦＩＤタグを利用する。
【００２３】
第４の実施形態では、本発明の制御端末１０４において、制御端末１０４のユーザの生体情報、環境状態を計測し、及び、周囲にある対象物の種類を取得し、その状態に合わせた制御機器リスト及び操作項目リストを表示する。
【００２４】
第１の実施形態について説明する。まず本発明の制御端末である制御端末１について説明する。図１は、制御端末１の使用状況を説明する説明図である。図１において、シャンデリア６１、フロアスタンド６２、テレビ６３、ＤＶＤレコーダ６４、オーディオ６５、エアコン６６、風呂給湯器６７、扇風機６８、こたつ６９が設置されている。以下、シャンデリア６１、フロアスタンド６２、テレビ６３、ＤＶＤレコーダ６４、オーディオ６５、エアコン６６、風呂給湯器６７、扇風機６８、及び、こたつ６９をまとめて制御機器６０と称す。これら制御機器６０は一台の制御端末１によって制御される。
【００２５】
図１に示すように制御端末１には、ディスプレイ２と、承認ボタン５と、否認ボタン６と、接触温度センサ１３と、心拍センサ１４と、発汗センサ１５と、送信部４５とが設けられている。尚、承認ボタン５と否認ボタン６とを総じてキー入力部３８と称す（図２参照）。
【００２６】
図２は制御端末１の電気的構成を説明するブロック図である。図２に示すように、制御端末１には、制御端末１全体の制御を行なうＣＰＵ２１と、データを一時的に記憶するＲＡＭ４００と、制御端末１を制御するプログラム（本発明の要部である制御端末プログラムを含む）を記憶したＲＯＭ２３とが内蔵されている。そして、ＣＰＵ２１には、制御機器６０に制御信号を送信する送信部４５と、上述のキー入力部３８と、ディスプレイ２と、プログラムや各種情報を記憶したハードディスク３００とが接続されている。
【００２７】
接触温度センサ１３は、白金測温抵抗体、サーミスタ、熱電対などを用いている、所謂温度計であり、装置に触れている手のひらや指の温度を計測する。心拍センサ１４は、所謂圧力センサであり、制御端末１の表面に設けられている。そして、血流の圧力を計測して触れている人の心拍（脈拍数）を計測する。発汗センサ１５は、触れている者の発汗量を計測する。
【００２８】
ここで、本実施形態で使用されるデータについて説明する。図３は、ハードディスク３００の構成を示す模式図である。ハードディスク３００には、制御端末１で使用される情報を記憶する。ハードディスク３００は、制御機器リスト記憶領域３０１、操作項目リスト記憶領域３０２、標準値生体情報テーブル３０３、生体状態テーブル３０４、制御機器リスト決定テーブル３０５、操作項目リスト決定テーブル３０６、送信データ決定テーブル３０７等が設けられている。
【００２９】
図４は制御機器リスト記憶領域３０１の模式図である。図５は制御機器リストの模式図である。図６は操作項目リスト記憶領域３０２の模式図である。図７は操作項目リストの模式図である。図８は標準値生体情報テーブル３０３の模式図である。図９は生体状態テーブル３０４の模式図である。図１０は制御機器リスト決定テーブル３０５の模式図である。図１１は操作項目リスト決定テーブル３０６の模式図である。図１２は送信データ決定テーブル３０７の模式図である。
【００３０】
図４に示す制御機器リスト記憶領域３０１について説明する。制御機器リスト記憶領域３０１には、制御端末１で制御する制御機器６０の制御機器リストが記憶されている。ユーザはこの制御機器リスト記憶領域３０１に記憶されている制御機器リストを呼び出すことにより制御機器リストをディスプレイ２に表示することができる。
【００３１】
制御機器リスト記憶領域３０１には、例えば制御機器リストＡ、制御機器リストＢ、制御機器リストＣ等が記憶されている。図５はこれら制御機器リストの模式図である。図５（ａ）に制御機器リストＡを示す。図５（ｂ）に制御機器リストＢを示す。図５（ｃ）に制御機器リストＣを示す。
【００３２】
制御機器リストＡには、制御機器６０の名称である「オーディオ」、「エアコン」、「テレビ」が上から順序にリストアップされている。制御機器リストＢには、「テレビ」、「ＤＶＤレコーダ」、「オーディオ」が上から順序にリストアップされている。制御機器リストＣには、「シャンデリア」、「フロアスタンド」、「オーディオ」が上から順序にリストアップされている。これら制御機器リストＡ〜Ｃは、後述する各生体状態に応じて、利用頻度が高い順番にリストアップされている。このため、数多くの制御機器６０の中から、ユーザは所望する制御機器６０の選択が容易に行なえる。
【００３３】
図６に示す操作項目リスト記憶領域３０２について説明する。操作項目リスト記憶領域３０２には、制御端末１で制御する制御機器６０における操作項目の名称のリストである操作項目リストが記憶されている。ユーザはこの操作項目リスト記憶領域３０２に記憶されている操作項目リストを呼び出すことにより操作項目リストをディスプレイ２に表示できる。
【００３４】
操作項目リスト記憶領域３０２には、例えば操作項目リストａ、操作項目リストｂ、操作項目リストｃ等が記憶されている。
【００３５】
これら操作項目リストについて、操作項目リストａ及び操作項目リストｂを例に挙げて説明する。図７は、これら操作項目リストの模式図である。図７（ａ）に操作項目リストａを示す。図７（ｂ）に操作項目リストｂを示す。
【００３６】
操作項目リストａには操作項目として、「消灯」、「常夜灯に変更」、「３０分後に消灯」が上から順序にリストアップされている。操作項目リストｂには操作項目として、「電源ＯＦＦ」、「就寝用音楽演奏」、「起床用タイマセット」が上から順序にリストアップされている。これら操作項目リストａ、操作項目リストｂは、後述する各生体状態に応じて、利用頻度が高い順番にリストアップされている。このため、数多くの操作項目の中から、ユーザは所望する操作項目の選択が容易に行なえる。
【００３７】
図８に示す標準値生体情報テーブル３０３について説明する。標準値生体情報テーブル３０３には、生体状態を判断する際に基準となる標準値の生体情報の値が記憶されている。本第１の実施形態では、生体情報として心拍数、体温、発汗量を使用する。そして、図８に示すようにそれぞれの標準値は、心拍数が毎分８０回、体温が３６．１℃、発汗量が１０.５ｇとされている。
【００３８】
図９に示す生体状態テーブル３０４について説明する。生体状態テーブル３０４には、後述する制御機器リスト決定処理で求められる変数である「ＴＥＭＰ」、「ＨＲ」、「ＳＷＥＡＴ」の値がどのような時にどのような「生体状態」となるかが記憶されている。
【００３９】
尚、後述する制御機器リスト決定処理で求められる「ＴＥＭＰ」は、接触温度センサ１３からの計測値と標準値生体情報テーブル３０３に記憶されている体温の標準値に基づき設定される変数である。また、後述する制御機器リスト決定処理で求められる「ＨＲ」は、心拍センサ１４からの計測値と標準値生体情報テーブル３０３に記憶されている心拍数の標準値に基づき設定される変数である。また、後述する制御機器リスト決定処理で求められる「ＳＷＥＡＴ」は、発汗センサ１５からの計測値と標準値生体情報テーブルに記憶されている発汗量の標準値に基づき設定される変数である。
【００４０】
本第１の実施形態では、「生体状態」として「興奮」、「落込み」、「眠い」、「通常」の４つの状態を扱うものとする。図９に示す生体状態テーブル３０４には、「興奮」、「落込み」、「眠い」の３つの状態に対応する変数「ＴＥＭＰ」、「ＨＲ」、「ＳＷＥＡＴ」の値が、それぞれ対応付けられている。
【００４１】
図９に示す生体状態テーブル３０４では、ＨＲが４〜５、ＴＥＭＰが２〜４、かつ、ＳＷＥＡＴが４〜５の場合に、生体状態の「興奮」が対応付けられている。また、ＨＲが２、ＴＥＭＰが２、かつ、ＳＷＥＡＴが２の場合に、生体状態の「落込み」が対応付けられている。また、ＨＲが２、ＴＥＭＰが３、かつ、ＳＷＥＡＴが１の場合に生体状態の「眠い」が対応付けられている。尚、後述する制御機器リスト決定処理にて、３つの変数の組み合わせが上述のいずれにも該当しない場合は「通常」とされる。このため「通常」については生体状態テーブル３０４については記述されていない。
【００４２】
そして、それぞれの「生体状態」を示す値である生体状態推論値として、「興奮」は「１」、「落込み」は「２」、「眠い」は「３」が対応付けられている。「通常」は「０」が対応付けられている。生体状態推論値は後述する制御機器リスト決定処理で用いられる。
【００４３】
図１０に示す制御機器リスト決定テーブル３０５について説明する。制御機器リスト決定テーブル３０５には、それぞれの生体状態の場合に、制御機器リスト記憶領域３０１に記憶されている複数の制御機器リストのうちいずれの制御機器リストを表示するかが記憶されている。
【００４４】
図１０に示す例では、生体状態が「興奮」（生体状態推論値が１）の場合には、制御機器リストＡが対応付けられている。そして、生体状態が「落込み」（生体状態推論値が２）の場合には、制御機器リストＢが対応付けられている。そして、生体状態「眠い」（生体状態推論値が３）の場合には制御機器リストＣが対応付けられている。
【００４５】
これにより、生体状態が「興奮」（生体状態推論値が１）の場合には、後述する制御機器リスト表示処理にて制御機器リストＡが制御機器リスト記憶領域３０１から読み出され、制御機器リストＡがディスプレイ２に表示される。そして、生体状態が「落込み」（生体状態推論値が２）の場合には、制御機器リストＢが制御機器リスト記憶領域３０１から読み出され、制御機器リストＢがディスプレイ２に表示される。そして、生体状態「眠い」（生体状態推論値が３）の場合には制御機器リストＣが制御機器リスト記憶領域３０１から読み出され、制御機器リストＣがディスプレイ２に表示される。
【００４６】
後述するが、生体状態「通常」（生体状態推論値が０）の場合には、ディスプレイ２には何も表示しない。このため「通常」については制御機器リスト決定テーブル３０５については記述されていない。
【００４７】
図１１に示す操作項目リスト決定テーブル３０６について説明する。操作項目リスト決定テーブル３０６には、それぞれの生体状態でいずれの制御機器が選択されたかに対応して、操作項目リスト記憶領域３０２に記憶されている複数の操作項目リストのうちいずれの操作項目リストを表示するかが記憶されている。
【００４８】
図１１に示す例では、例えば生体状態が「眠い」（生体状態推論値が３）の場合で、且つ、制御機器としてシャンデリア６１が選択された場合には、操作項目リストａが対応付けられている。生体状態が「眠い」（生体状態推論値が３）の場合で、且つ、制御機器としてフロアスタンド６２が選択された場合には、操作項目リストａが対応付けられている。生体状態が「眠い」（生体状態推論値が３）の場合で、且つ、制御機器としてオーディオ６５が選択された場合には、操作項目リストｂが対応付けられている。
【００４９】
これにより、生体状態が「眠い」（生体状態推論値が３）の場合で、且つ、制御機器としてシャンデリア６１が選択された場合には、後述する操作項目表示処理にて、ディスプレイ２には操作項目リストａが表示される。生体状態が「眠い」（生体状態推論値が３）の場合で、且つ、制御機器としてフロアスタンド６２が選択された場合には、後述する操作項目表示処理にて、ディスプレイ２には操作項目リストａが表示される。生体状態が「眠い」（生体状態推論値が３）の場合で、且つ、制御機器としてオーディオ６５が選択された場合には、後述する操作項目表示処理にて、ディスプレイ２には操作項目リストｂが表示される。
【００５０】
後述するが、生体状態「通常」（生体状態推論値が０）の場合には、ディスプレイ２には何も表示しない。このため「通常」については操作項目リスト決定テーブル３０６については記述されていない。
【００５１】
図１２に示す送信データ決定テーブル３０７について説明する。送信データ決定テーブル３０７にはそれぞれの制御機器６０とそれぞれの操作項目に対応する送信データが記憶されている。送信データはデバイスＩＤと、操作ＩＤとからなり、デバイスＩＤは制御する制御機器６０を特定し、操作ＩＤは制御機器６０の動作を特定する。制御機器６０は受信した送信データに基づいて動作する。
【００５２】
図１３は、ＲＡＭ４００の構成を示す模式図である。ＲＡＭ４００は生体センサ第一バッファ領域４０１、生体センサ第二バッファ領域４０２、生体状態推論値記憶領域４０３、作業領域４０４を備えている。
【００５３】
生体センサ第一バッファ領域４０１は、後述する計測値取得処理で各センサからの計測値を一時的に記憶しておくための領域である。生体センサ第二バッファ領域４０２は、後述する計測値取得処理で生体センサ第一バッファ領域４０１に一時的に記憶した各センサからの計測値を記憶する領域である。生体状態推論値記憶領域４０３は後述する制御機器リスト決定処理において算出される生体状態推論値を記憶するための領域である。作業領域４０４はＣＰＵ２１が後述する各処理を実行するために使用される領域である。例えば作業領域４０４は後述する第一フラグを記憶するためにも使用される。
【００５４】
次に、本第１の実施形態での制御端末１において、制御機器６０の制御を行うために制御信号を送信する処理について説明する。図１４は、ＣＰＵ２１が行なうメイン処理のフローチャートである。
【００５５】
図１４に示すメイン処理は、ユーザが図示しない電源ボタンを操作して、制御端末１の電源が入力されることによって開始される。まず、接触温度センサ１３、心拍センサ１４、発汗センサ１５の計測値を取得するために、計測値取得処理を起動する（ステップ１、以下ステップを単にＳと称す）。次に、計測値取得処理によって各センサから取得した計測値に基づいてディスプレイ２に表示させる制御機器リストを決定する制御機器リスト決定処理（Ｓ２）を行なう。
【００５６】
次に、Ｓ２において決定された制御機器リストをディスプレイ２に表示する制御機器リスト表示処理（Ｓ３）が行なわれる。Ｓ３で選択された制御機器６０を制御するための操作項目リストを表示する操作項目リスト表示処理を行なう（Ｓ４）。
【００５７】
次にＳ４で選択された操作項目の制御信号を送信する制御信号送信処理を行なう（Ｓ５）。
【００５８】
制御信号送信処理（Ｓ５）を終了すると、図示しない電源ボタンが押下されているか否かを検知する（Ｓ６）。電源ボタンが押下されていない場合は（Ｓ６：ＮＯ）、Ｓ２に戻る。電源ボタンが押下されている場合（Ｓ６：ＹＥＳ）は、全ての処理を終了する（Ｓ７）。以下各処理について詳細に説明する。
【００５９】
先ず、メイン処理のＳ１にて起動される計測値取得処理について説明する。図１５は計測値取得処理のフローチャートである。
【００６０】
メイン処理のＳ１で計測値取得処理が起動されると計測値取得処理が開始される。そして、先ず、接触温度センサ１３、心拍センサ１４、発汗センサ１５が起動される（Ｓ１０１）。
【００６１】
ここで各センサは、接触温度センサ１３、心拍センサ１４、発汗センサ１５の順に計測値を計測するものとする。そして各センサはそれぞれの計測値を計測すると、直ちにＣＰＵ２１にその計測値を送信する。即ち、接触温度センサ１３が先ず計測値を計測し、計測した計測値をＣＰＵ２１に送信する。接触温度センサ１３が計測値を送信し終わると、次に心拍センサ１４が計測値を計測し、計測した計測値をＣＰＵ２１に送信する。心拍センサが計測値を送信し終わると、次に発汗センサ１５が計測値を計測し、計測した計測値をＣＰＵ２１に送信する。そして、発汗センサ１５が計測値を送信し終わると、接触温度センサ１３は５秒間待機した後、再び計測値を計測する。
【００６２】
ＣＰＵ２１は上述のような各センサをＳ１０１で起動した後、各センサからの計測値を受信するか否かを判断する（Ｓ１０２）。計測値を受信していない場合は（Ｓ１０２：ＮＯ）、計測値を受信するまで待機する。計測値を受信した場合は（Ｓ１０２：ＹＥＳ）、計測値をＲＡＭ４００の生体センサ第一バッファ領域４０１に記憶させる（Ｓ１０３）。
【００６３】
計測値を生体センサ第一バッファ領域４０１に記憶させると、ＣＰＵ２１は全てのセンサからの計測値をＲＡＭ４００の生体センサ第一バッファ領域４０１に記憶したが否かを判断する（Ｓ１０４）。全てのセンサの計測値を記憶していない場合は（Ｓ１０４：ＮＯ）、Ｓ１０２に戻る。
【００６４】
全てのセンサの計測値を記憶している場合は（Ｓ１０４：ＹＥＳ）、生体センサ第二バッファ領域４０２に記憶されている計測値と、生体センサ第一バッファ領域４０１に記憶されている計測値とを比較し、両者が一致するか否かを判断する（Ｓ１０５）。
【００６５】
両者の計測値が一致する場合は（Ｓ１０５：ＹＥＳ）、Ｓ１０２に戻る。両者の計測値が一致しない場合は（Ｓ１０５：ＮＯ）、生体センサ第一バッファ領域４０１に記憶されている各センサからの計測値を、生体センサ第二バッファ領域４０２に記憶させ、作業領域４０４に生体センサ第二バッファ領域４０２が更新されたことを示す第一フラグを立てる（Ｓ１０６）。その後、生体センサ第一バッファ領域４０１に記憶された各センサからの計測値を全て消去し（Ｓ１０７）、Ｓ１０２へ戻り再び各センサからの計測値を受信するまで待機する。
【００６６】
次にメイン処理の中で行なわれる制御機器リスト決定処理（図１４、Ｓ２）について説明する。図１６は制御機器リスト決定処理のフローチャートである。
【００６７】
メイン処理のＳ１にて計測値取得処理が起動された後、制御機器リスト決定処理（Ｓ２）が開始される。制御機器リスト決定処理が開始されると、先ず、ＲＡＭ４００の生体状態推論値記憶領域４０３を初期化する（Ｓ２０１）。ここでいう初期化とはＲＡＭ４００の生体状態推論値記憶領域４０３に記憶されているデータを全て消去することである。
【００６８】
ＲＡＭ４００の生体状態推論値記憶領域４０３を初期化すると、メイン処理のＳ１で起動された計測値取得処理によって、作業領域４０４に第一フラグが立っているか否かを判断し、ＲＡＭ４００の生体センサ第二バッファ領域４０２が更新されているか否かを判断する（Ｓ２０２）。
【００６９】
生体センサ第二バッファ領域４０２が更新さていない場合（第一フラグが立っていない場合）は（Ｓ２０２：ＮＯ）、生体センサ第二バッファ領域４０２が更新されるまで待機する。生体センサ第二バッファ領域４０２が更新されている（第一フラグが立っている場合）場合は（Ｓ２０２：ＹＥＳ）、作業領域４０４の第一フラグを０に戻し、心拍分類処理によって上述した変数ＨＲを設定する（Ｓ２０３）。
【００７０】
ここで、心拍分類処理（Ｓ２０３）について説明する。図１７は心拍分類処理のフローチャートである。制御機器リスト決定処理のＳ２０２において、生体センサ第二バッファ領域４０２が更新されたと判断された場合（Ｓ２０２：ＹＥＳ）、Ｓ２０３の心拍分類処理が開始される。
【００７１】
心拍分類処理が開始されると、生体センサ第二バッファ領域４０２に記憶されている心拍数の計測値（心拍センサ１４の計測値）からＲＡＭ４００の標準値生体情報テーブル３０３に記憶されている心拍数の標準値が引かれ、心拍数の差Ｘが算出される（Ｓ２３０１）。
【００７２】
そして、心拍数の差Ｘが−１０以下であるか否かを判断する（Ｓ２３０２）。ここで、−１０という値は任意に設定された値である。心拍数の差Ｘが−１０以下である場合には（Ｓ２３０２：ＹＥＳ）、変数ＨＲに１が設定され（Ｓ２３０６）、心拍分類処理を終了して制御機器リスト決定処理に戻る。心拍数の差Ｘが−１０以下でない場合は（Ｓ２３０２：ＮＯ）、心拍数の差Ｘが−５以下であるか否かを判断する（Ｓ２３０３）。
【００７３】
そして、心拍数の差Ｘが−５以下である場合には（Ｓ２３０３：ＹＥＳ）、変数ＨＲに２が設定され（Ｓ２３０７）、心拍分類処理を終了して制御機器リスト決定処理に戻る。心拍数の差Ｘが−５以下でない場合は（Ｓ２３０３：ＮＯ）、心拍数の差Ｘが５以下であるか否かを判断する（Ｓ２３０４）。
【００７４】
そして、心拍数の差Ｘが５以下である場合には（Ｓ２３０４：ＹＥＳ）、変数ＨＲに３が設定され（Ｓ２３０８）、心拍分類処理を終了して制御機器リスト決定処理に戻る。心拍数の差Ｘが５以下でない場合は（Ｓ２３０４：ＮＯ）、心拍数の差Ｘが１５以下であるか否かを判断する（Ｓ２３０５）。
【００７５】
そして、心拍数の差Ｘが１５以下である場合には（Ｓ２３０５：ＹＥＳ）、変数ＨＲに４が設定され（Ｓ２３０９）、心拍分類処理を終了して制御機器リスト決定処理に戻る。心拍数の差Ｘが１５以下でない場合は（Ｓ２３０４：ＮＯ）、変数ＨＲに５が設定され（Ｓ２３１０）、心拍分類処理を終了して制御機器リスト決定処理に戻る。
【００７６】
ＣＰＵ２１が心拍分類処理によって変数ＨＲを設定したあと、次に体温分類処理によって上述した変数ＴＥＭＰを設定する（Ｓ２０４）。体温分類処理の詳細は後述する。
【００７７】
ここで体温分類処理（Ｓ２０４）について説明する。図１８は体温分類処理のフローチャートである。制御機器リスト決定処理のＳ２０３である心拍分類処理が終了すると、Ｓ２０４の体温分類処理が開始される。
【００７８】
体温分類処理が開始されると、生体センサ第二バッファ領域４０２に記憶されている体温の計測値（接触温度センサ１４の計測値）からＲＡＭ４００の標準値生体情報テーブル３０３に記憶されている体温の標準値が引かれ、体温の差Ｙが算出される（Ｓ２４０１）。
【００７９】
そして、体温の差Ｙが−１以下であるか否かを判断する（Ｓ２４０２）。体温の差Ｙが−１以下である場合には（Ｓ２４０２：ＹＥＳ）、変数ＴＥＭＰに１が設定され（Ｓ２４０６）、体温分類処理を終了して制御機器リスト決定処理に戻る。体温の差Ｙが−１以下でない場合は（Ｓ２４０２：ＮＯ）、体温の差Ｙが−０．５以下であるか否かを判断する（Ｓ２４０３）。
【００８０】
そして、体温の差Ｙが−０．５以下である場合には（Ｓ２４０３：ＹＥＳ）、変数ＴＥＭＰに２が設定され（Ｓ２４０７）、体温分類処理を終了して制御機器リスト決定処理に戻る。体温の差Ｙが−０．５以下でない場合は（Ｓ２４０３：ＮＯ）、体温の差Ｙが０．５以下であるか否かを判断する（Ｓ２４０４）。
【００８１】
そして、体温の差Ｙが０．５以下である場合には（Ｓ２４０４：ＹＥＳ）、変数ＴＥＭＰに３が設定され（Ｓ２４０８）、体温分類処理を終了して制御機器リスト決定処理に戻る。体温の差Ｙが０．５以下でない場合は（Ｓ２４０４：ＮＯ）、体温の差Ｙが１以下であるか否かを判断する（Ｓ２４０５）。
【００８２】
そして、体温の差Ｙが１以下である場合には（Ｓ２４０５：ＹＥＳ）、変数ＴＥＭＰに４が設定され（Ｓ２４０９）、体温分類処理を終了して制御機器リスト決定処理に戻る。体温の差Ｙが１以下でない場合は（Ｓ２４０４：ＮＯ）、変数ＴＥＭＰに５が設定され（Ｓ２４１０）、体温分類処理を終了して制御機器リスト決定処理に戻る。
【００８３】
ＣＰＵ２１が体温分類処理によって変数ＴＥＭＰを設定したあと、次に発汗量分類処理によって上述した変数ＳＷＥＡＴを設定する（Ｓ２０５）。
【００８４】
ここで発汗量分類処理（Ｓ２０５）について説明する。図１９は発汗量分類処理のフローチャートである。制御機器リスト決定処理のＳ２０４である心拍分類処理が終了すると、Ｓ２０５の発汗量分類処理が開始される。
【００８５】
発汗量分類処理が開始されると、生体センサ第二バッファ領域４０２に記憶されている発汗量の計測値（発汗センサ１５の計測値）からＲＡＭ４００の標準値生体情報テーブル３０３に記憶されている発汗量の標準値が引かれ、発汗量の差Ｚが算出される（Ｓ２５０１）。
【００８６】
そして、発汗量の差Ｚが３以下であるか否かを判断する（Ｓ２５０２）。発汗量の差Ｚが３以下である場合には（Ｓ２５０２：ＹＥＳ）、変数ＳＷＥＡＴに１が設定され（Ｓ２５０６）、発汗量分類処理を終了して制御機器リスト決定処理に戻る。発汗量の差Ｚが３以下でない場合は（Ｓ２５０２：ＮＯ）、発汗量の差Ｙが６以下であるか否かを判断する（Ｓ２５０３）。
【００８７】
そして、発汗量の差Ｚが６以下である場合には（Ｓ２５０３：ＹＥＳ）、変数ＳＷＥＡＴに２が設定され（Ｓ２５０７）、発汗量分類処理を終了して制御機器リスト決定処理に戻る。発汗量の差Ｚが６以下でない場合は（Ｓ２５０３：ＮＯ）、発汗量の差Ｚが１０以下であるか否かを判断する（Ｓ２５０４）。
【００８８】
そして、発汗量の差Ｚが１０以下である場合には（Ｓ２５０４：ＹＥＳ）、変数ＳＷＥＡＴに３が設定され（Ｓ２５０８）、発汗量分類処理を終了して制御機器リスト決定処理に戻る。発汗量の差Ｚが１０以下でない場合は（Ｓ２５０４：ＮＯ）、発汗量の差Ｚが１５以下であるか否かを判断する（Ｓ２５０５）。
【００８９】
そして、発汗量の差Ｚが１５以下である場合には（Ｓ２５０５：ＹＥＳ）、変数ＳＷＥＡＴに４が設定され（Ｓ２５０９）、発汗量分類処理を終了して制御機器リスト決定処理に戻る。発汗量の差Ｚが１５以下でない場合は（Ｓ２５０４：ＮＯ）、変数ＳＷＥＡＴに５が設定され（Ｓ２５１０）、発汗量分類処理を終了して制御機器リスト決定処理に戻る。
【００９０】
発汗量分類処理後、Ｓ２０３〜Ｓ２０５において設定された３つの変数ＨＲ、ＴＥＭＰ、ＳＷＥＡＴと、ハードディスク３００に記憶されている生体状態テーブル３０４とに基づいて、生体状態推論値を算出しＲＡＭ４００の生体状態推論値記憶領域４０３に記憶する（Ｓ２０６）。
【００９１】
ここで、生体状態が「興奮」（生体状態推論値が１）となるのは、ＨＲが４〜５、ＴＥＭＰが２〜４、かつ、ＳＷＥＡＴが４〜５の場合である。生体状態が「落込み」（生体状態推論値が２）となるのは、ＨＲが２、ＴＥＭＰが２、かつ、ＳＷＥＡＴが２の場合である。生体状態が「眠い」（生体状態推論値が３）となるのは、ＨＲが２、ＴＥＭＰが３、かつ、ＳＷＥＡＴが１の場合である。尚、３つの変数の組み合わせが上述のいずれにも該当しない場合は生体状態が「通常」（生体状態推論値が０）とされる。
【００９２】
ＲＡＭ４００の生体状態推論値記憶領域４０３に生体状態推論値が記憶されると、ＣＰＵ２１はＲＡＭ４００の生体状態推論値記憶領域４０３に記憶されている生体状態推論値が１以上であるか否かを判断する（Ｓ２０７）。生体状態推論値が１以上で無い場合、即ち生体状態が「通常」と判断された場合は（Ｓ２０７：ＮＯ）、メイン処理のＳ６に移行し、電源がＯＦＦされるか否かが判断される。ここで電源がＯＦＦされない場合（Ｓ６：ＹＥＳ）は上述したようにＳ２へ戻る。即ち生体状態が「通常」（生体状態推論値が０）と判断される限り、この処理が繰り返される。
【００９３】
生体状態推論値が１以上である場合は（Ｓ２０７：ＹＥＳ）、生体状態推論値記憶領域４０３に記憶されている生体状態推論値と、ハードディスク３００に記憶されている制御機器リスト決定テーブル３０５とに基づいて、ディスプレイ２に表示させる制御機器リストを決定する（Ｓ２０８）。
【００９４】
上述したように、図１０に示す制御機器リスト決定テーブル３０５では、生体状態が「興奮」（生体状態推論値が１）の場合には、制御機器リストＡが対応付けられている。そして、生体状態が「落込み」（生体状態推論値が２）の場合には、制御機器リストＢが対応付けられている。そして、生体状態「眠い」（生体状態推論値が３）の場合には制御機器リストＣが対応付けられている。
【００９５】
従って、生体状態推論値記憶領域４０３に記憶されている生体状態推論値が１の場合、ディスプレイ２に表示する制御機器リストとして制御機器リストＡが決定される。また、生体状態推論値記憶領域４０３に記憶されている生体状態推論値が２の場合、ディスプレイ２に表示する制御機器リストとして制御機器リストＢが決定される。生体状態推論値記憶領域４０３に記憶されている生体状態推論値が３の場合、ディスプレイ２に表示する制御機器リストとして制御機器リストＣが決定される。
【００９６】
このようにＳ２０８でディスプレイ２に表示する制御機器リストが決定されると、メイン処理に戻り、次の制御機器リスト表示処理（Ｓ３）が開始される。
【００９７】
次にメイン処理の中で行なわれる制御機器リスト表示処理（図１４、Ｓ３）について説明する。図２０は制御機器リスト表示処理のフローチャートである。
【００９８】
メイン処理のＳ２の制御機器リスト決定処理が終了すると、制御機器リスト表示処理（Ｓ３）が開始される。制御機器リスト表示処理が開始されると、先ず、上述の制御機器リスト決定処理でディスプレイ２に表示されることが決定された制御機器リストの先頭の制御機器６０の名称を表示する（Ｓ３０１）。
【００９９】
たとえば、上述の制御機器リスト決定処理において、ディスプレイ２に表示させる制御機器リストとして制御機器リストＣが決定されている場合は、先頭の「シャンデリア６１」が表示される。このときの制御端末１の正面図を図２１に示す。図２１に示すように制御端末１のディスプレイ２には制御機器リストＣの先頭にリストアップされている制御機器６０の名称である「シャンデリア６１」が表示されている。
【０１００】
次に、ディスプレイ２に表示している制御機器６０をユーザが選択するか否かを判断する（Ｓ３０２）。ユーザにより承認ボタン５が押下された場合は、ディスプレイ２に表示している制御機器６０をユーザが選択したと判断し（Ｓ３０２：ＹＥＳ）、制御機器リスト表示処理を終了しメイン処理に戻る。
【０１０１】
ユーザにより否認ボタン６が押下された場合は、ディスプレイ２に表示している制御機器６０をユーザが選択しないと判断し（Ｓ３０２：ＮＯ）、ディスプレイ２に表示されている制御機器６０の名称が制御機器リストの末尾にリストアップされている名称であるか否かを判断する（Ｓ３０３）。
【０１０２】
ディスプレイ２に表示されている制御機器６０の名称が制御機器リストの末尾にリストアップされている制御機器６０の名称である場合には（Ｓ３０３：ＹＥＳ）、ディスプレイ２の表示を消去して、メイン処理のＳ６に進み、電源がＯＦＦされるか否かが判断される。ここで電源がＯＦＦされない場合（Ｓ６：ＹＥＳ）は上述したようにＳ２へ戻る。
【０１０３】
ディスプレイ２に表示されている制御機器６０の名称が制御機器リストの末尾にリストアップされている制御機器６０の名称でない場合には（Ｓ３０３：ＮＯ）、リストアップされている次の制御機器６０の名称をディスプレイ２に表示し（Ｓ３０４）、Ｓ３０２に移行する。
【０１０４】
例えば、制御機器リストＣの「シャンデリア６１」が表示されている場合に、否認ボタン６が押下された場合は、Ｓ３０４において、制御機器リストＣにリストアップされている次の制御機器６０の名称である「フロアスタンド６２」が表示される。このときの制御端末１の正面図を図２２に示す。図２２に示すように制御端末１のディスプレイ２には制御機器リストＣの２番目にリストアップされている制御機器６０の名称である「フロアスタンド６２」が表示されている。
【０１０５】
例えば、制御機器リストＣの「オーディオ６５」が表示されている場合に、否認ボタン６が押下された場合は、「オーディオ６５」が制御機器リストＣの末尾にリストアップされている制御機器６０の名称であるため、Ｓ３０３においてＹＥＳと判断される。
【０１０６】
次にメイン処理の中で行なわれる操作項目リスト表示処理（図１４、Ｓ４）について説明する。図２３は操作項目リスト表示処理のフローチャートである。メイン処理のＳ３の制御機器リスト表示処理が終了すると、操作項目リスト表示処理（Ｓ４）が開始される。操作項目リスト表示処理が開始されると、先ず、生体状態推論値記憶領域４０３に記憶されている生体状態推論値と、制御機器リスト表示処理で選択された制御機器６０と、ハードディスク３００に記憶されている操作項目リスト決定テーブル３０６とに基づいて、ディスプレイ２に表示させる操作項目リストを決定する（Ｓ４０１）
ディスプレイ２に表示されることが決定された操作項目リストの先頭の操作項目の名称を表示する（Ｓ４０２）。
【０１０７】
たとえば、Ｓ４０１において、ディスプレイ２に表示させる操作項目リストとして操作項目リストａが決定されている場合は、先頭の「消灯」が表示される。このときの制御端末１の正面図を図２４に示す。図２４に示すように制御端末１のディスプレイ２には操作項目リストａの先頭にリストアップされている操作項目の名称である「消灯」が表示されている。
【０１０８】
次に、ディスプレイ２に表示している操作項目をユーザが選択するか否かを判断する（Ｓ４０３）。ユーザにより承認ボタン５が押下された場合は、ディスプレイ２に表示している操作項目をユーザが選択したと判断し（Ｓ４０３：ＹＥＳ）、操作項目リスト表示処理を終了しメイン処理に戻る。
【０１０９】
ユーザにより否認ボタン６が押下された場合は、ディスプレイ２に表示している操作項目をユーザが選択しないと判断し（Ｓ４０３：ＮＯ）、ディスプレイ２に表示されている操作項目の名称が操作項目リストの末尾にリストアップされている名称であるか否かを判断する（Ｓ４０４）。
【０１１０】
ディスプレイ２に表示されている操作項目の名称が操作項目リストの末尾にリストアップされている操作項目の名称である場合には（Ｓ４０４：ＹＥＳ）、ディスプレイ２の表示を消去して、メイン処理のＳ６に移行して、電源がＯＦＦされるか否かが判断される。ここで電源がＯＦＦされない場合（Ｓ６：ＹＥＳ）は上述したようにＳ２へ戻る。
【０１１１】
ディスプレイ２に表示されている操作項目の名称が操作項目リストの末尾にリストアップされている操作項目の名称でない場合には（Ｓ４０４：ＮＯ）、リストアップされている次の操作項目の名称をディスプレイ２に表示し（Ｓ４０５）、Ｓ４０３に移行する。
【０１１２】
例えば、操作項目リストａの「消灯」が表示されている場合に、否認ボタン６が押下された場合は、Ｓ４０５において、操作項目リストａにリストアップされている次の操作項目の名称である「常夜灯に変更」が表示される。このときの制御端末１の正面図を図２５に示す。図２５に示すように制御端末１のディスプレイ２には操作項目リストａの２番目にリストアップされている操作項目の名称である「常夜灯に変更」が表示されている。
【０１１３】
例えば、操作項目リストａの「３０分後に消灯」が表示されている場合に、否認ボタン６が押下された場合は、「３０分後に消灯」が操作項目リストａの末尾にリストアップされている操作項目の名称であるため、Ｓ４０４においてＹＥＳと判断される。
【０１１４】
次にメイン処理の中で行なわれる制御信号送信処理（図１４、Ｓ５）について説明する。図２６は制御信号送信処理のフローチャートである。メイン処理のＳ４の操作項目リスト表示処理が終了すると、制御信号送信処理（Ｓ５）が開始される。制御信号送信処理が開始されると、先ず、制御機器リスト表示処理で選択された制御機器６０と、操作項目表示処理で選択された操作項目と、ハードディスク３００に記憶されている送信データ決定テーブル３０７とに基づいて、送信部４５から送信する送信データを決定する（Ｓ５０１）。
【０１１５】
次に決定された送信データを送信部４５から送信し（Ｓ５０２）、ディスプレイ２の表示を消去する。その後、メイン処理のＳ６に移行し、電源がＯＦＦされるか否かが判断される。ここで電源がＯＦＦされない場合（Ｓ６：ＹＥＳ）は上述したようにＳ２へ戻る。
【０１１６】
送信部４５から送信された送信データを受信すると、制御機器６０は受信した送信データに基づいて動作する。
【０１１７】
なお、本第１の実施形態において、送信部４５が「制御信号送信手段」に相当する。ディスプレイ２が「表示手段」に相当する。接触温度センサ１３、心拍センサ１４及び発汗センサ１５が「計測手段」に相当する。計測値取得処理を行なうＣＰＵ２１が「計測値取得手段」に相当する。メイン処理のＳ２及びＳ３を実行するＣＰＵ２１が「制御機器リスト表示手段」に相当する。メイン処理のＳ３を実行するＣＰＵ２１が「制御機器選択」に相当する。メイン処理のＳ５を実行するＣＰＵ２１が「送信信号制御手段」に相当する。メイン処理のＳ２及びＳ４を実行するＣＰＵ２１が「操作項目リスト表示制御手段」に相当する。メイン処理のＳ４を実行するＣＰＵ２１が「操作項目選択手段」に相当する。
【０１１８】
次に第２の実施形態について説明する。なお、第２の実施形態について、第１の実施形態において説明したものと同様のものについては、第一の実施形態と同一の符号を用いて説明し、ここでは、第１の実施形態の制御端末１とは異なる部分についてのみ説明する。
【０１１９】
まず、第２の実施形態の制御端末１０２について説明する。図２７は、制御端末１０２の電気的構成を示すブロック図である。また、制御端末１０２の外観は図１の制御端末１の外観と同様なので省略する。
【０１２０】
図２７に示すように、制御端末１０２のＣＰＵ２１には、第１の実施形態のように、接触温度センサ１３、心拍センサ１４、発汗センサ１５を接続しているのではなく、ユーザが生活を営む空間に複数配置された環境情報計測装置４４からの信号を受信するＩ／Ｆ回路４２が接続している。
【０１２１】
環境情報計測装置４４は、ユーザが生活を営むあらゆるところにそれぞれ配置される。Ｉ／Ｆ回路４２はユーザの生活空間に複数配置されている環境情報計測装置４４の中で、制御端末１０２と一番近い環境情報計測装置４４からの信号を受信する。ここで、Ｉ／Ｆ回路４２とＩ／Ｆ回路４３とは無線でつながれており、ＣＰＵ２１は受信した電波の中で一番強い電波のものを一番近い環境情報計測装置４４であると判断する。これにより、制御端末１０２の周囲の環境情報を制御端末１０２が取得することができる。
【０１２２】
環境情報検出装置４４は、周囲の温度を計測する温度センサ５１、周囲の湿度を計測する湿度センサ５２、周囲の照度を計測する照度センサ５３、及び、周囲の音を計測する音センサ５４を備えている。そして温度センサ５１、湿度センサ５２、照度センサ５３及び音センサ５４がＩ／Ｆ回路４３と接続されており、Ｉ／Ｆ回路４３は制御端末１０２のＩ／Ｆ回路４２と信号の送受信を行なう。
【０１２３】
次に、制御端末１０２のハードディスク３２０及びＲＡＭ４２０について説明する。図２８は、ハードディスク３２０の構成を示す模式図である。図２９は、ディスプレイ２に表示するリストを決定する際に使用される環境状態テーブル３２４の構成を示す模式図であり、図３０は、ディスプレイ２に表示する制御機器リストを決定する際に使用される制御機器リスト決定テーブル３２５の構成を示す模式図である。図３２は、ディスプレイ２に表示する操作項目リストを決定する際に使用される操作項目リスト決定テーブル３２６の構成を示す模式図である。
【０１２４】
まず、図２８に示すハードディスク３２０について説明する。ハードディスク３２０には、制御端末１０２で使用される情報を記憶する。たとえば、制御機器リスト記憶領域３０１、操作項目リスト記憶領域３０２、環境状態テーブル３２４、制御機器リスト決定テーブル３２５、操作項目リスト決定テーブル３２６、送信データ決定テーブル３０７等が設けられている。
【０１２５】
ここで、制御機器リスト記憶領域３０１、及び、操作項目リスト記憶領域３０２については、第１の実施形態と同様であるので説明を省略する。
【０１２６】
図２９に示す環境状態テーブル３２４について説明する。環境状態テーブル３２４には、後述する制御機器リスト決定処理で求められる変数である「ＴＥＭＰ２」、「ＨＵＭＩＤ」、「ＬＩＧＨＴ」、「ＶＯＬ」の値がどのような時にどのような「環境状態」となるかが記憶されている。
【０１２７】
尚、後述する制御機器リスト決定処理で求められる「ＴＥＭＰ２」は、温度センサ５１からの計測値に基づき設定される変数である。また、後述する制御機器リスト決定処理で求められる「ＨＵＭＩＤ」は、湿度センサ５２からの計測値に基づき設定される変数である。また、後述する制御機器リスト決定処理で求められる「ＬＩＧＨＴ」は、照度センサ５３からの計測値に基づき設定される変数である。また、上述する制御機器リスト決定処理で求められる「ＶＯＬ」は、音センサ５４からの計測値に基づき設定される変数である。
【０１２８】
本第２の実施形態では、「環境状態」として「蒸し暑い昼間の屋外」、「騒がしい室内」、「寒い夜」、「通常」の４つの状態を扱うものとする。図２９に示す環境状態テーブル３２４には、「蒸し暑い昼間の屋外」、「騒がしい室内」、「寒い夜」の３つの状態に対応する変数「ＴＥＭＰ２」、「ＨＵＭＩＤ」、「ＬＩＧＨＴ」、「ＶＯＬ」の値が、それぞれ対応付けられている。
【０１２９】
図２９に示す環境状態テーブル３２４では、ＴＥＭＰ２が５、ＨＵＭＩＤが４、かつ、ＬＩＧＨＴが４〜５の場合に、環境状態の「蒸し暑い昼間の屋外」が対応付けられている。また、ＴＥＭＰ２が３〜４、ＨＵＭＩＤが２〜３、ＬＩＧＨＴが２〜３、かつ、ＶＯＬが５の場合に、環境状態の「騒がしい室内」が対応付けられている。また、ＴＥＭＰ２が１〜２、かつ、ＬＩＧＨＴが１〜２の場合に環境状態の「寒い夜」が対応付けられている。尚、後述する制御機器リスト決定処理にて、４つの変数の組み合わせが上述のいずれにも該当しない場合は「通常」とされる。このため「通常」については環境状態テーブル３２４については記述されていない。
【０１３０】
そして、それぞれの「環境状態」を示す値である環境状態推論値として、「蒸し暑い昼間の屋外」は「１」、「騒がしい室内」は「２」、「寒い夜」は「３」が対応付けられている。「通常」は「０」が対応付けられている。環境状態推論値は後述する制御機器リスト決定処理で用いられる。
【０１３１】
図３０に示す制御機器リスト決定テーブル３２５について説明する。制御機器リスト決定テーブル３２５には、それぞれの環境状態の場合に、制御機器リスト記憶領域３０１に記憶されている複数の制御機器リストのうちいずれの制御機器リストを表示するかが記憶されている。
【０１３２】
図３０に示す例では、環境状態が「蒸し暑い昼間の屋外」（環境状態推論値が１）の場合には、制御機器リストＤが対応付けられている。そして、環境状態が「騒がしい室内」（環境状態推論値が２）の場合には、制御機器リストＢが対応付けられている。そして、環境状態「寒い夜」（環境状態推論値が３）の場合には制御機器リストＥが対応付けられている。
【０１３３】
これにより、環境状態が「蒸し暑い昼間の屋外」（環境状態推論値が１）の場合には、後述する制御機器リスト表示処理にて制御機器リストＤが制御機器リスト記憶領域３０１から読み出され、制御機器リストＤがディスプレイ２に表示される。そして、環境状態が「騒がしい室内」（環境状態推論値が２）の場合には、制御機器リストＢが制御機器リスト記憶領域３０１から読み出され、制御機器リストＢがディスプレイ２に表示される。そして、環境状態「寒い夜」（環境状態推論値が３）の場合には、制御機器リストＥが制御機器リスト記憶領域３０１から読み出され、制御機器リストＥがディスプレイ２に表示される。
【０１３４】
ここで、制御機器リストＤ及び制御機器リストＥについ説明する。図３１は制御機器リストの模式図である。図３１（ａ）に制御機器リストＤを示す。図３１（ｂ）に制御機器リストＥを示す。
【０１３５】
制御機器リストＤには、制御機器６０の名称である「エアコン６６」、「風呂給湯器６７」、「扇風機６８」が上から順序にリストアップされている。制御機器リストＥには、「エアコン６６」、「こたつ６９」、「風呂給湯器６７」が上から順序にリストアップされている。
【０１３６】
これら、制御機器リストＤ及び制御機器リストＥは上述の制御機器リスト記憶領域３０１に記憶されている。
【０１３７】
図３２に示す操作項目リスト決定テーブル３２６について説明する。操作項目リスト決定テーブル３２６には、それぞれの環境状態でいずれの制御機器が選択されたかに対応して、操作項目リスト記憶領域３０２に記憶されている複数の操作項目リストのうちいずれの操作項目リストを表示するかが記憶されている。
【０１３８】
図３２に示す例では、例えば環境状態が「蒸し暑い昼間」（環境状態推論値が１）の場合で、且つ、制御機器としてエアコン６６が選択された場合には、操作項目リストｃが対応付けられている。環境状態が「蒸し暑い昼間」（環境状態推論値が１）の場合で、且つ、制御機器として風呂給湯器６７が選択された場合には、操作項目リストｄが対応付けられている。環境状態が「蒸し暑い昼間」（環境状態推論値が１）の場合で、且つ、制御機器として扇風機６８が選択された場合には、操作項目リストｅが対応付けられている。
【０１３９】
これにより、環境状態が「蒸し暑い昼間」（環境状態推論値が１）の場合で、且つ、制御機器としてエアコン６６が選択された場合には、後述する操作項目表示処理にて、ディスプレイ２には操作項目リストｃが表示される。環境状態が「蒸し暑い昼間」（環境状態推論値が１）の場合で、且つ、制御機器として風呂給湯器６７が選択された場合には、後述する操作項目表示処理にて、ディスプレイ２には操作項目リストｄが表示される。環境状態が「眠い」（環境状態推論値が１）の場合で、且つ、制御機器として扇風機６８が選択された場合には、後述する操作項目表示処理にて、ディスプレイ２には操作項目リストｅが表示される。
【０１４０】
ここで、操作項目リストｃ、操作項目リストｄ、及び、操作項目リストｅについ説明する。図３３は操作項目リストの模式図である。図３３（ａ）に操作項目リストｃを示す。図３３（ｂ）に操作項目リストｄを示す。図３３（ｃ）に操作項目リストｅを示す。
【０１４１】
操作項目リストｃには、操作項目として「冷房」、「温度を下げる」、「除湿」が上から順序にリストアップされている。操作項目リストｄには、「お湯張り（ぬるめ）」、「お湯張り（普通）」、「暖める」が上から順序にリストアップされている。操作項目リストｅには、「強風」、「中風」、「断続運転」が上から順序にリストアップされている。
【０１４２】
これら、操作項目リストｃ、操作項目リストｄ、及び、操作項目リストeは上述の操作項目リスト記憶領域３０２に記憶されている。
【０１４３】
図３４はＲＡＭ４２０の構成を示す模式図である。ＲＡＭ４２０は環境センサ第一バッファ領域４２１、環境センサ第二バッファ領域４２２、環境状態推論値記憶領域４２３、及び作業領域４０４を備えている。
【０１４４】
環境状態推論値記憶領域４２３は、後述する制御機器リスト決定処理によって算出される環境状態推論値を記憶するための領域である。
【０１４５】
次に、本第１の実施形態での制御端末１０２において、制御機器６０の制御を行うために制御信号を送信する処理について説明する。メイン処理の流れは第１の実施形態と同じであるので図１４のフローチャートを用いて説明することができる。以下第１の実施形態と同様の処理については説明を省略する。
【０１４６】
ここで、第２の実施形態における計測値取得処理について説明する。図３５は第２の実施形態における計測値取得処理のフローチャートである。
【０１４７】
まず、環境情報検出装置４４について説明する。環境情報検出装置４４の各センサは、温度センサ５１、湿度センサ５２、照度センサ５３、音センサ５４の順に計測値を計測するものとする。そして各センサはそれぞれの計測値を計測すると、直ちにＩ／Ｆ回路４３及びＩ／Ｆ回路４２を介して、ＣＰＵ２１にその計測値を送信する。即ち、温度センサ５２が先ず計測値を計測し、計測した計測値をＣＰＵ２１に送信する。温度センサ５１が計測値を送信し終わると、次に湿度センサ５２が計測値を計測し、計測した計測値をＣＰＵ２１に送信する。湿度センサ５２が計測値を送信し終わると、次に照度センサ５３が計測値を計測し、計測した計測値をＣＰＵ２１に送信する。照度センサ５３が計測値を送信し終わると、次に音センサ５４が計測値を計測し、計測した計測値をＣＰＵ２１に送信する。そして、音センサ５４が計測値を送信し終わると、温度センサ５１は５秒間待機した後、再び計測値を計測する。
【０１４８】
このように、環境情報検出装置４４は５秒間隔で各センサからの計測値を絶えずＣＰＵ２１に送信する。
【０１４９】
このような環境情報検出装置４４はユーザが生活を営むあらゆるところに配置されており、制御端末１０２のＩ／Ｆ回路４２は、一番近い場所に配置されている環境情報検出装置４４からの信号を受信する。
【０１５０】
図３５に示すように、ＣＰＵ２１は計測値取得処理が開始されると、環境情報検出装置４４の各センサからの計測値を受信するか否かを判断する（Ｓ１２１）。計測値を受信していない場合は（Ｓ１２１：ＮＯ）、計測値を受信するまで待機する。計測値を受信した場合は（Ｓ１２１：ＹＥＳ）、計測値をＲＡＭ４２０の環境センサ第一バッファ領域４２１に記憶させる（Ｓ１２２）。
【０１５１】
計測値を環境センサ第一バッファ領域４２１に記憶させると、ＣＰＵ２１は全てのセンサからの計測値をＲＡＭ４２０の環境センサ第一バッファ領域４２１に記憶したが否かを判断する（Ｓ１２３）。全てのセンサの計測値を記憶していない場合は（Ｓ１２３：ＮＯ）、Ｓ１２１に戻る。
【０１５２】
全てのセンサの計測値を記憶している場合は（Ｓ１２３：ＹＥＳ）、環境センサ第二バッファ領域４２２に記憶されている計測値と、環境センサ第一バッファ領域４２１に記憶されている計測値とを比較し、両者が一致するか否かを判断する（Ｓ１２４）。
【０１５３】
両者の計測値が一致する場合は（Ｓ１２４：ＹＥＳ）、Ｓ１２１に戻る。両者の計測値が一致しない場合は（Ｓ１２４：ＮＯ）、環境センサ第一バッファ領域４２１に記憶されている各センサからの計測値を、環境センサ第二バッファ領域４２２に記憶させ、作業領域４０４に環境センサ第二バッファ領域４０２が更新されたことを示す第二フラグをたてる（Ｓ１２５）。その後、環境センサ第一バッファ領域４２１に記憶された各センサからの計測値を全て消去し（Ｓ１２６）、Ｓ１２１へ戻る。
【０１５４】
次に第２の実施形態における制御機器リスト決定処理（図１４、Ｓ２）について説明する。図３６は第２の実施形態における制御機器リスト決定処理のフローチャートである。
【０１５５】
メイン処理のＳ１にて計測値取得処理が起動された後、制御機器リスト決定処理（Ｓ２）が開始される。制御機器リスト決定処理が開始されると、先ず、ＲＡＭ４２０の環境状態推論値記憶領域４２３を初期化する（Ｓ２２１）。ここでいう初期化とはＲＡＭ４２０の環境状態推論値記憶領域４２３に記憶されているデータを全て消去することである。
【０１５６】
ＲＡＭ４２０の環境状態推論値記憶領域４２３を初期化すると、計測値取得処理のＳ１２５（図３５参照）によって、ＲＡＭ４２０の環境センサ第二バッファ領域４２２が更新されているか否か（作業領域４０４に第二フラグが立っているか否か）を判断する（Ｓ２２２）。環境センサ第二バッファ領域４２２が更新されているか否かは作業領域４０４に第二フラグが立っているか否かで判断する。
【０１５７】
環境センサ第二バッファ領域４２２が更新さていない場合（第二フラグが立っていない場合）は（Ｓ２２２：ＮＯ）、環境センサ第二バッファ領域４２２が更新されるまで待機する。環境センサ第二バッファ領域４２２が更新されている場合（第二フラグが立っている場合）は（Ｓ２２２：ＹＥＳ）、作業領域４０４の第二フラグを０に戻し、気温分類処理によって上述した変数ＴＥＭＰ２を設定する（Ｓ２２３）。
【０１５８】
ここで、気温類処理（Ｓ２２３）について説明する。図３７は気温分類処理のフローチャートである。制御機器リスト決定処理のＳ２２２において、環境センサ第二バッファ領域４２２が更新されたと判断された場合（Ｓ２２２：ＹＥＳ）、Ｓ２２３の気温分類処理が開始される。
【０１５９】
気温分類処理が開始されると、環境センサ第二バッファ領域４２２に記憶されている気温の計測値（温度センサ５１の計測値）が０℃以下であるか否かを判断する（Ｓ２３２１）。気温の計測値が０℃以下である場合には（Ｓ２３２１：ＹＥＳ）、変数ＴＥＭＰ２に１が設定され（Ｓ２３２５）、気温分類処理を終了して制御機器リスト決定処理に戻る。気温の計測値が０℃以下でない場合は（Ｓ２３２１：ＮＯ）、気温の計測値が１０℃以下であるか否かを判断する（Ｓ２３２２）。
【０１６０】
そして、気温の計測値が１０℃以下である場合には（Ｓ２３２２：ＹＥＳ）、変数ＴＥＭＰ２に２が設定され（Ｓ２３２６）、気温分類処理を終了して制御機器リスト決定処理に戻る。気温の計測値が１０℃以下でない場合は（Ｓ２３２２：ＮＯ）、気温の計測値が２０℃以下であるか否かを判断する（Ｓ２３２３）。
【０１６１】
そして、気温の計測値が２０℃以下である場合には（Ｓ２３２３：ＹＥＳ）、変数ＴＥＭＰ２に３が設定され（Ｓ２３２７）、気温分類処理を終了して制御機器リスト決定処理に戻る。気温の計測値が２０℃以下でない場合は（Ｓ２３２３：ＮＯ）、気温の計測値が３０℃以下であるか否かを判断する（Ｓ２３２４）。
【０１６２】
そして、気温の計測値が３０℃以下である場合には（Ｓ２３２４：ＹＥＳ）、変数ＴＥＭＰ２に４が設定され（Ｓ２３２８）、気温分類処理を終了して制御機器リスト決定処理に戻る。気温の計測値が３０以下でない場合は（Ｓ２３２４：ＮＯ）、変数ＴＥＭＰ２に５が設定され（Ｓ２３２９）、気温分類処理を終了して制御機器リスト決定処理に戻る。
【０１６３】
制御機器リスト決定処理に戻ると、ＣＰＵ２１が気温分類処理によって変数ＴＥＭＰ２を設定したあと、次に湿度分類処理によって上述した変数ＨＵＭＩＤを設定する（Ｓ２２４）。
【０１６４】
ここで湿度分類処理（Ｓ２２４）について説明する。図３８は湿度分類処理のフローチャートである。制御機器リスト決定処理のＳ２２３である気温分類処理が終了すると、Ｓ２２４の湿度分類処理が開始される。
【０１６５】
湿度分類処理が開始されると、環境センサ第二バッファ領域４２２に記憶されている湿度の計測値（湿度センサ５２の計測値）が２０％以下であるか否かを判断する（Ｓ２４２１）。湿度の計測値が２０％以下である場合には（Ｓ２４２１：ＹＥＳ）、変数ＨＵＭＩＤに１が設定され（Ｓ２４２５）、湿度分類処理を終了して制御機器リスト決定処理に戻る。湿度の計測値が２０％以下でない場合は（Ｓ２４２１：ＮＯ）、湿度の計測値が４０％以下であるか否かを判断する（Ｓ２４２２）。
【０１６６】
そして、湿度の計測値が４０％以下である場合には（Ｓ２４２２：ＹＥＳ）、変数ＨＵＭＩＤに２が設定され（Ｓ２４２６）、湿度分類処理を終了して制御機器リスト決定処理に戻る。湿度の計測値が４０％以下でない場合は（Ｓ２４２２：ＮＯ）、湿度の計測値が６０％以下であるか否かを判断する（Ｓ２４２３）。
【０１６７】
そして、湿度の計測値が６０％以下である場合には（Ｓ２４２３：ＹＥＳ）、変数ＨＵＭＩＤに３が設定され（Ｓ２４２７）、湿度分類処理を終了して制御機器リスト決定処理に戻る。湿度の計測値が６０％以下でない場合は（Ｓ２４２３：ＮＯ）、湿度の計測値が８０％以下であるか否かを判断する（Ｓ２４２４）。
【０１６８】
そして、湿度の計測値が８０％以下である場合には（Ｓ２４２４：ＹＥＳ）、変数ＨＵＭＩＤに４が設定され（Ｓ２４２８）、湿度分類処理を終了して制御機器リスト決定処理に戻る。湿度の計測値が８０％以下でない場合は（Ｓ２４２３：ＮＯ）、変数ＨＵＭＩＤに５が設定され（Ｓ２４２９）、湿度分類処理を終了して制御機器リスト決定処理に戻る。
【０１６９】
ＣＰＵ２１が湿度分類処理によって変数ＨＵＭＩＤを設定したあと、次に照度分類処理によって上述した変数ＬＩＧＨＴを設定する（Ｓ２２５）。
【０１７０】
ここで照度分類処理（Ｓ２２５）について説明する。図３９は照度分類処理のフローチャートである。制御機器リスト決定処理のＳ２２４である湿度分類処理が終了すると、Ｓ２２５の照度分類処理が開始される。
【０１７１】
照度分類処理が開始されると、環境センサ第二バッファ領域４２２に記憶されている照度の計測値（照度センサ５３の計測値）が３ルクス以下であるか否かを判断する（Ｓ２５２１）。照度の計測値が３ルクス以下である場合には（Ｓ２５２１：ＹＥＳ）、変数ＬＩＧＨＴに１が設定され（Ｓ２５２５）、照度分類処理を終了して制御機器リスト決定処理に戻る。照度の計測値が３ルクス以下でない場合は（Ｓ２５２１：ＮＯ）、照度の計測値が５００ルクス以下であるか否かを判断する（Ｓ２５２２）。
【０１７２】
そして、照度の計測値が５００ルクス以下である場合には（Ｓ２５２１：ＹＥＳ）、変数ＬＩＧＨＴに２が設定され（Ｓ２５２６）、照度分類処理を終了して制御機器リスト決定処理に戻る。照度の計測値が５００ルクス以下でない場合は（Ｓ２５２１：ＮＯ）、照度の計測値が５０００ルクス以下であるか否かを判断する（Ｓ２５２３）。
【０１７３】
そして、照度の計測値が５０００ルクス以下である場合には（Ｓ２５２３：ＹＥＳ）、変数ＬＩＧＨＴに３が設定され（Ｓ２５２７）、照度分類処理を終了して制御機器リスト決定処理に戻る。照度の計測値が５０００ルクス以下でない場合は（Ｓ２５２３：ＮＯ）、照度の計測値が５００００ルクス以下であるか否かを判断する（Ｓ２５２４）。
【０１７４】
そして、照度の計測値が５００００ルクス以下である場合には（Ｓ２５２４：ＹＥＳ）、変数ＬＩＧＨＴに４が設定され（Ｓ２５２８）、照度分類処理を終了して制御機器リスト決定処理に戻る。照度の計測値が５００００ルクス以下でない場合は（Ｓ２５２４：ＮＯ）、変数ＬＩＧＨＴに５が設定され（Ｓ２５２９）、照度分類処理を終了して制御機器リスト決定処理に戻る。
【０１７５】
ＣＰＵ２１が照度分類処理によって変数ＬＩＧＨＴを設定したあと、次に音量分類処理によって上述した変数ＶＯＬを設定する（Ｓ２２６）。
【０１７６】
ここで音量分類処理（Ｓ２２６）について説明する。図４０は音量分類処理のフローチャートである。制御機器リスト決定処理のＳ２２５である照度分類処理が終了すると、Ｓ２２６の音量分類処理が開始される。
【０１７７】
音量分類処理が開始されると、環境センサ第二バッファ領域４２２に記憶されている音量の計測値（音量センサ５４の計測値）が１０ｄｂ以下であるか否かを判断する（Ｓ２６２１）。音量の計測値が１０ｄｂ以下である場合には（Ｓ２６２１：ＹＥＳ）、変数ＶＯＬに１が設定され（Ｓ２６２５）、音量分類処理を終了して制御機器リスト決定処理に戻る。音量の計測値が１０ｄｂ以下でない場合は（Ｓ２６２１：ＮＯ）、音量の計測値が４０ｄｂ以下であるか否かを判断する（Ｓ２６２２）。
【０１７８】
そして、音量の計測値が４０ｄｂ以下である場合には（Ｓ２６２２：ＹＥＳ）、変数ＶＯＬに２が設定され（Ｓ２６２６）、音量分類処理を終了して制御機器リスト決定処理に戻る。音量の計測値が４０ｄｂ以下でない場合は（Ｓ２６２２：ＮＯ）、音量の計測値が７０ｄｂ以下であるか否かを判断する（Ｓ２６２３）。
【０１７９】
そして、音量の計測値が７０ｄｂ以下である場合には（Ｓ２６２３：ＹＥＳ）、変数ＶＯＬに３が設定され（Ｓ２６２７）、音量分類処理を終了して制御機器リスト決定処理に戻る。音量の計測値が７０ｄｂ以下でない場合は（Ｓ２６２３：ＮＯ）、音量の計測値が１００ｄｂ以下であるか否かを判断する（Ｓ２６２４）。
【０１８０】
そして、音量の計測値が１００ｄｂ以下である場合には（Ｓ２６２４：ＹＥＳ）、変数ＶＯＬに４が設定され（Ｓ２６２８）、音量分類処理を終了して制御機器リスト決定処理に戻る。音量の計測値が１００ｄｂ以下でない場合は（Ｓ２６２３：ＮＯ）、変数ＶＯＬに５が設定され（Ｓ２６２９）、音量分類処理を終了して制御機器リスト決定処理に戻る。
【０１８１】
音量分類処理後、Ｓ２２３〜Ｓ２２６において設定された３つの変数ＴＥＭＰ２、ＨＵＭＩＤ、ＬＩＧＨＴ、ＶＯＬと、ハードディスク３２０に記憶されている環境状態テーブル３２４とに基づいて、環境状態推論値を算出しＲＡＭ４２０の環境状態推論値記憶領域４２３に記憶する（Ｓ２２７）。
【０１８２】
ここで、環境状態が「蒸し暑い昼間の屋外」（環境状態推論値が１）となるのは、ＴＥＭＰ２が５、ＨＵＭＩＤが４、かつ、ＬＩＧＨＴが４〜５の場合である。環境状態が「騒がしい室内」（環境状態推論値が２）となるのは、ＴＥＭＰ２が３〜４、ＨＵＭＩＤが２〜３、ＬＩＧＨＴが２〜３、かつ、ＶＯＬが５の場合である。環境状態が「寒い夜」（環境状態推論値が３）となるのは、ＴＥＭＰ２が１〜２、かつ、ＬＩＧＨＴが１〜２の場合である。尚、４つの変数の組み合わせが上述のいずれにも該当しない場合は環境状態が「通常」（環境状態推論値が０）とされる。
【０１８３】
ＲＡＭ４２０の環境状態推論値記憶領域４２３に環境状態推論値が記憶されると、ＣＰＵ２１はＲＡＭ４２０の環境状態推論値記憶領域４２３に記憶されている環境状態推論値が１以上であるか否かを判断する（Ｓ２２８）。環境状態推論値が１以上で無い場合、即ち環境状態が「通常」と判断された場合は（Ｓ２２８：ＮＯ）、メイン処理のＳ６に移行し、電源がＯＦＦされるか否かが判断される。ここで電源がＯＦＦされない場合（Ｓ６：ＹＥＳ）は上述したようにＳ２へ戻る。即ち生体状態が「通常」（生体状態推論値が０）と判断される限り、この処理が繰り返される。
【０１８４】
環境状態推論値が１以上である場合は（Ｓ２２８：ＹＥＳ）、環境状態推論値記憶領域４２３に記憶されている環境状態推論値と、ハードディスク３２０に記憶されている制御機器リスト決定テーブル３２５とに基づいて、ディスプレイ２に表示させる制御機器リストを決定する（Ｓ２２９）。
【０１８５】
上述したように、図３０に示す制御機器リスト決定テーブル３２５では、環境状態が「蒸し暑い昼間の屋外」（環境状態推論値が１）の場合には、制御機器リストＤが対応付けられている。そして、環境状態が「騒がしい室内」（環境状態推論値が２）の場合には、制御機器リストＢが対応付けられている。そして、環境状態「寒い夜」（環境状態推論値が３）の場合には制御機器リストＥが対応付けられている。
【０１８６】
従って、環境状態推論値記憶領域４２３に記憶されている環境状態推論値が１の場合、ディスプレイ２に表示する制御機器リストとして制御機器リストＤが決定される。また、環境状態推論値記憶領域４２３に記憶されている環境状態推論値が２の場合、ディスプレイ２に表示する制御機器リストとして制御機器リストＢが決定される。環境状態推論値記憶領域４２３に記憶されている環境状態推論値が３の場合、ディスプレイ２に表示する制御機器リストとして制御機器リストＥが決定される。
【０１８７】
このようにＳ２２９で制御機器リストが決定されると、メイン処理に戻り、次の制御機器リスト表示処理（Ｓ３）が開始される。
【０１８８】
次のメイン処理のＳ３〜Ｓ７については、第１の実施形態と同様であるので説明を省略する。ただしＳ４の操作リスト表示処理のＳ４０１においては、第１の実施形態の操作項目リスト決定テーブル３０６に基づいてディスプレイ２に表示させる操作項目リストを決定するのではなく、図３２に示した操作項目リスト決定テーブル３２６に基づいてディスプレイ２に表示させる操作項目リストを決定する。
【０１８９】
なお、本第２の実施形態において、温度センサ５１、湿度センサ５２、照度センサ５３及び音センサ５４が「計測手段」に相当する。
【０１９０】
次に、第３の実施形態について説明する。なお、第３の実施形態について、第１の実施形態において説明したものと同様のものについては、同じ符号を用いるものとし、ここでは、第１の実施形態の制御端末１とは異なる部分についてのみ説明する。
【０１９１】
まず、第３の実施形態の制御端末１０３について説明する。図４１は、制御端末１０３の電気的構成を示すブロック図である。また、制御端末１０３の外観は図１の制御端末１の外観と同様なので省略する。
【０１９２】
図４１に示すように、制御端末１０３のＣＰＵ２１にはＩ／Ｆ回路４６が接続されている。このＩ／Ｆ回路４６は、ＲＦＩＤタグ１５４を呼び出す呼出波を送信し、ＲＦＩＤタグ１５４から返信される反射波を受信し、反射波に含まれるＲＦＩＤタグ１５４の識別情報を読み出すものである。ＣＰＵ２１は、Ｉ／Ｆ回路４６に呼出波送信の指示を与えることにより、通信が成立する。すなわち、近隣に存在するＲＦＩＤタグ１５４の識別情報を取得することができる。
【０１９３】
このＲＦＩＤタグ１５４は、制御端末１０３のユーザの身の回りに存在する物に貼り付けられており、図４２に示すように貼り付けられた物ごとにそれぞれ異なる識別情報を記憶している。
【０１９４】
例えば、本実施例においては、図示しないソファに対する識別情報は「９７ＦＣＥ８９１」であり、図示しないベッドに対するの識別情報は「Ｂ３１２ＣＥ８９」であり、図示しない玄関のドア識別情報は「９９ＡＡＢ３１２」である。
【０１９５】
したがって、ＲＦＩＤタグ１５４から返信される反射波を受信することにより、制御端末１０３の周りに何が存在するかの情報を制御端末１０３は取得することができる。
【０１９６】
次に、制御端末１０３のハードディスク３３０について説明する。図４３は、ハードディスク３３０の構成を示す模式図であり、図４４は制御機器リスト決定テーブル３３５の構成を示す模式図であり、図４５は操作項目リスト決定テーブル３３６の構成を示すも模式図である。
【０１９７】
まず、図４３を参照して、ハードディスク３３０について説明する。図４３に示すように、ハードディスク３３０には、制御機器リスト記憶領域３０１、操作項目リスト記憶領域３０２、制御機器リスト決定テーブル３３５、操作項目リスト決定テーブル３３６、送信データ決定テーブル３０７等が設けられている。
【０１９８】
制御機器リスト記憶領域３０１、操作項目リスト記憶領域３０２、及び、送信データ決定テーブル３０７については、第１の実施形態同様であるので説明を省略する。
【０１９９】
図４４に示す制御機器リスト決定テーブル３３５について説明する。制御機器リスト決定テーブル３３５には、ＲＦＩＤタグ１５４から取得した識別情報と制御機器リストとが対応付けて記憶されている。即ち、いずれの識別情報を取得した場合に、いずれの制御機器リストを表示するかが記憶されている。
【０２００】
図４４に示す例では、識別情報が「９７ＦＣＥ８９１」（ソファの識別情報）の場合には、制御機器リストＢが対応付けられている。そして、識別情報が「Ｂ３１２ＣＥ８９」（ベッドの識別情報）の場合には、制御機器リストＦが対応付けられている。そして、識別情報が「９９ＡＡＢ３１２」（玄関のドアの識別情報）の場合には、制御機器リストＧが対応付けられている。
【０２０１】
これにより、Ｉ／Ｆ回路４６で取得した識別情報がソファの識別情報である場合には、後述する制御機器リスト表示処理にて制御機器リストＢがディスプレイ２に表示される。
【０２０２】
Ｉ／Ｆ回路４６で取得した識別情報がベッドの識別情報である場合には、後述する制御機器リスト表示処理にて制御機器リストＦがディスプレイ２に表示される。
【０２０３】
Ｉ／Ｆ回路４６で取得した識別情報が玄関のドアの識別情報である場合には、後述する制御機器リスト表示処理にて制御機器リストＧがディスプレイ２に表示される。
【０２０４】
ここで、制御機器リストＦ及び制御機器リストＧについて説明する。図４６（ａ）に制御機器リストＦを示す。図４６（ｂ）に制御機器リストＧを示す。
【０２０５】
制御機器リストＦは図４６（ａ）に示したように、制御機器６０として「シャンデリア６１」、「フロアスタンド６２」、「エアコン６６」が上から順序にリストアップされている。制御機器リストＧは図４６（ｂ）に示したように、制御機器６０として「シャンデリア６１」、「フロアスタンド６２」が上から順序にリストアップされている。
【０２０６】
これら、制御機器リストＦ及び制御機器リストＧは上述の制御機器リスト記憶領域３０１に記憶されている。
【０２０７】
図４５に示す操作項目リスト決定テーブル３３６について説明する。操作項目リスト決定テーブル３３６には、選択された制御機器と、識別情報第一記憶領域４３１に記憶されている識別情報と、後述する遠近情報とに対応して、いずれの操作項目リストを表示するかが記憶されている。
【０２０８】
図４５に示す例では、例えば選択された制御機器が「テレビ６３」、且つ、識別情報第一記憶領域４３１に記憶されている識別情報が「ソファ」、且つ、遠近情報が「近づく」の場合は、操作項目リストｆが対応付けられている。選択された制御機器が「テレビ６３」、且つ、識別情報第一記憶領域４３１に記憶されている識別情報が「ソファ」、且つ、遠近情報が「離れる」の場合には、操作項目リストｇが対応付けられている。
【０２０９】
ここで、操作項目リストｆ、及び、操作項目リストｇについ説明する。図４７は操作項目リストの模式図である。図４７（ａ）に操作項目リストｆを示す。図４７（ｂ）に操作項目リストｇを示す。
【０２１０】
操作項目リストｆには、操作項目として「電源ＯＮ」、「チャンネル１選択」、「チャンネル２選択」が上から順序にリストアップされている。操作項目リストｇには、「電源ＯＦＦ」、「音量小」、「音量大」が上から順序にリストアップされている。
【０２１１】
これら、操作項目リストｆ、及び、操作項目リストｇは上述の操作項目リスト記憶領域３０２に記憶されている。
【０２１２】
図４８はＲＡＭ４３０の構成を示す模式図である。ＲＡＭ４３０は識別情報第一記憶領域４３１、識別情報第二記憶領域４３２、遠近情報記憶領域４３３、及び、作業領域４０４を備えている。作業領域４０４については、第１の実施形態と同様であるため、説明を省略する。
【０２１３】
識別情報第一記憶領域４３１及び識別情報第二記憶領域４３２はＩ／Ｆ回路４６から取得した識別情報を一時的に記憶する領域である。
【０２１４】
遠近情報記憶領域４３３は後述する遠近情報を示す遠近情報フラグを立てるための領域である。
【０２１５】
次に、本第３の実施形態での制御機器６０の制御を行なうために制御信号を送信する処理について説明する。メイン処理の流れは第１の実施形態と同じであるので図１４のフローチャートを用いて説明することができる。以下、第１の実施形態と同様の処理については説明を省略する。
【０２１６】
第３の実施形態における計測値取得処理について説明する。図４９は第３の実施形態における計測値取得処理のフローチャートである。
【０２１７】
図４９に示すように、ＣＰＵ２１は計測値取得処理を開始すると、まず、ＲＦＩＤタグ１５４を呼び出すための呼出波を送信する（Ｓ１３１）。そして、所定時間（たとえば、３秒間）ＲＦＩＤタグ１５４からの反射波の受信を行ない、受信した反射波に含まれる識別情報をＲＡＭ４３０の識別情報第一記憶領域４３１に記憶し、識別情報を受信したことを示す第三フラグを作業領域４０４に立てる（Ｓ１３２）。このとき、複数のＲＦＩＤタグ１５４から反射波を受信した場合は、一番近いＲＦＩＤタグ１５４から反射波のみを受信する。ここで、受信した反射波の中で一番強い反射波のものを一番近いＲＦＩＤタグ１５４であると判断する。また、前回受信した識別情報が識別情報第一記憶領域４３１に記憶されている場合は、前回受信した識別情報を消去して、今回受信した識別情報を識別情報第一記憶領域４３１に記憶させる。
【０２１８】
Ｓ１３２を終了すると、Ｓ１３１へ戻り再びＦＲＩＤタグ５４を呼び出すための呼出波を送信する。
【０２１９】
次に第３の実施形態における制御機器リスト決定処理（図１４、Ｓ２）について説明する。図５０は第３の実施形態における制御機器リスト決定処理のフローチャートである。
【０２２０】
メイン処理のＳ１にて計測値取得処理が起動された後、制御機器リスト決定処理（Ｓ２）が開始される。ＣＰＵ２１が制御機器リスト決定処理を開始すると、計測値取得処理のＳ１３２（図４９参照）によって、識別情報を受信したか否か（作業領域４０４に第三フラグが立っているか否か）を判断する（Ｓ２３１）。
【０２２１】
識別情報を受信している場合（第三フラグが立っている場合）は（Ｓ２３１：ＹＥＳ）、作業領域４０４の第三フラグを０に戻し、識別情報第一記憶領域４３１に記憶されている識別情報を識別情報第二記憶領域４３２に記憶し、遠近情報記憶領域４３３に近づいたことを示す情報である遠近情報として遠近情報フラグを立てる（Ｓ２３２）。
【０２２２】
そして、識別情報第一記憶領域４３１に記憶されている識別情報と、制御機器リスト決定テーブル３３５とに基づいて、ディスプレイ２に表示させる制御機器リストを決定する（Ｓ２３５）。
【０２２３】
上述したように、識別情報第一記憶領域４３１に記憶されている識別情報が「９７ＦＣＥ８９１」（ソファの識別情報）である場合には、制御機器リストＢが決定される。識別情報第一記憶領域４３１に記憶されている識別情報が「Ｂ３１２ＣＥ８９」（ベッドの識別情報）である場合には、制御機器リストＦが決定される。識別情報第一記憶領域４３１に記憶されている識別情報が「９９ＡＡＢ３１２」（玄関のドアの識別情報）である場合には、制御機器リストＧが決定される。
【０２２４】
識別情報を受信していない場合（第三フラグが立っていない場合）は（Ｓ２３１：ＮＯ）、識別情報第二記憶領域４３２に識別情報が記憶されているか否かを判断する（Ｓ２３３）。
【０２２５】
識別情報第二記憶領域４３２に識別情報が記憶されていない場合は（Ｓ２３３：ＮＯ）、メイン処理のＳ６へ進む。
【０２２６】
識別情報第二記憶領域４３２に識別情報が記憶されている場合は（Ｓ２３３：ＹＥＳ）、識別情報第二記憶領域４３２に記憶された識別情報を、識別情報第一記憶領域４３１に記憶し、識別情報第二記憶領域４３２に記憶された識別情報を消去し、遠近情報記憶領域４３３に離れたことを示す情報として遠近情報フラグを０に戻す（Ｓ２３４）。その後、Ｓ２３５へ移行し、ディスプレイ２に表示する制御機器リストが決定される。
【０２２７】
次のメイン処理のＳ３〜Ｓ７については、第１の実施形態と同様であるので説明を省略する。ただしＳ４の操作リスト表示処理のＳ４０１においては、第１の実施形態の操作項目リスト決定テーブル３０６に基づいてディスプレイ２に表示させる操作項目リストを決定するのではなく、図４５に示した操作項目リスト決定テーブル３３６に基づいてディスプレイ２に表示させる操作項目リストを決定する。
【０２２８】
なお、本第３の実施形態において、ＲＦＩＤタグ及びＩ／Ｆ回路４６が「計測手段」に相当する。
【０２２９】
次に、第４の実施形態について説明する。第１の実施形態〜第３の実施形態において説明したものと同様の物については、同じ符号を用いるものとし、ここでは、第１の実施形態の制御端末１とは異なる部分についてのみ説明する。
【０２３０】
まず、第４の実施形態の制御端末１０４について説明する。図５１は、制御端末１０４の電気的構成を示すブロック図である。なお、制御端末１０４について、第１の実施形態〜第３の実施形態において使用した制御端末１、１０２、１０３と同様のものについては同一の符号を用いるものとし、ここでは、第１の実施形態〜第３の実施形態の制御端末１、１０２、１０３との共通部分以外についてのみ説明する。また、制御端末１０４の外観は図１の制御端末１の外観と同様なので省略する。
【０２３１】
図５１に示すように、制御端末１０４のＣＰＵ２１には、接触温度センサ１３、心拍センサ１４、発汗センサ１５が接続している。また、環境情報計測装置４４からの信号を受信するＩ／Ｆ回路４２が接続している。また、ＲＦＩＤタグ１５４を呼び出す呼出波を送信し、ＲＦＩＤタグ１５４から返信される反射波を受信し、反射波に含まれるＲＦＩＤタグ１５４の識別情報を読み出すＩ／Ｆ回路４６が接続されている。
【０２３２】
したがって、制御端末１０４のユーザの生体情報を取得し、かつ、制御端末１０４の周囲の環境の情報を取得し、制御端末１０４の周囲に存在する対象物の識別情報を制御端末１０４は取得することができる。
【０２３３】
次に、制御端末１０４のハードディスク３４０について説明する。図５２は、ハードディスク３４０の構成を示す模式図である。図５２に示すように、ハードディスク３４０には、制御機器リスト記憶領域３０１、操作項目リスト記憶領域３０２、標準値生体情報テーブル３０３、生体状態テーブル３０４、環境状態テーブル３２４、制御機器リスト決定テーブル３４５、操作項目リスト決定テーブル３４６、送信データ決定テーブル３０７等が設けられている。
【０２３４】
制御機器リスト記憶領域３０１、操作項目リスト記憶領域３０２、標準値生体情報テーブル３０３、生体状態テーブル３０４、環境状態テーブル３２４、及び、送信データ決定テーブル３０７上述の実施形態と同様であるので説明を省略する。
【０２３５】
ここで、制御機器リスト決定テーブル３４５及び操作項目リスト決定テーブル３４６について説明する。
【０２３６】
制御機器リスト決定テーブル３４５について説明する。図５３に制御機器リスト決定テーブル３４５を示す。本第４の実施形態では、ユーザの生体情報により決定された生体状態（生体状態推論値）、制御端末１０４の存在するまわりの環境情報により決定された環境状態（環境状態推論値）、及び、制御端末１０４の周囲に存在する対象物の識別情報により、いずれの制御機器リストをディスプレイ２に表示するかが記憶されている。
【０２３７】
操作項目リスト決定テーブル３４６について説明する。図５４に操作項目リスト決定テーブル３４６を示す。本第４の実施形態では、選択された制御機器、ユーザの生体情報により決定された生体状態（生体状態推論値）、制御端末１０４の存在するまわりの環境情報により決定された環境状態（環境状態推論値）、及び制御端末１０４の周囲に存在する対象物の識別情報、及び、遠近情報により、いずれの操作項目リストをディスプレイ２に表示するかが記憶されている。
【０２３８】
次に、制御端末１０４のＲＡＭ４４０について説明する。図５５は、ＲＡＭ４４０の構成を示す模式図である。図５５に示すように、ＲＡＭ４４０には、生体センサ第一バッファ領域４０１、生体センサ第二バッファ領域４０２、生体状態推論値記憶領域４０３、環境センサ第一バッファ領域４２１、環境センサ第二バッファ領域４２２、環境状態推論値記憶領域４２３、識別情報第一記憶領域４３１、識別情報第二記憶領域４３２、遠近情報記憶領域４３３、作業領域４０４等が設けられている。
【０２３９】
生体センサ第一バッファ領域４０１、生体センサ第二バッファ領域４０２、生体状態推論値記憶領域４０３、環境センサ第一バッファ領域４２１、環境センサ第二バッファ領域４２２、環境状態推論値記憶領域４２３、識別情報第一記憶領域４３１、識別情報第二記憶領域４３２、遠近情報記憶領域４３３、作業領域４０４は上述した実施形態で説明したものと同様であるため、説明を省略する。
【０２４０】
次に、本第４の実施形態での制御機器６０の制御を行なうために制御信号を送信する処理について説明する。メイン処理の流れは第１の実施形態と同じであるので図１１のフローチャートを用いて説明することができる。第１の実施形態と同様の処理については説明を省略する。
【０２４１】
メイン処理のＳ１における計測値取得処理が起動されるが、このとき起動される計測値取得処理は、上述の第１の実施形態から第３の実施形態においてそれぞれ説明した３つの計測値取得処理が起動される。
【０２４２】
即ち、図１５、図３５、図４９に示した全ての計測値取得処理が起動される。従ってこれらの計測値取得処理がＣＰＵ２１によって実行されることにより、接触温度センサ１３及び心拍センサ１４及び発汗センサから取得された計測値がＲＡＭ４４０の生体センサ第二バッファ領域４０２に記憶され、環境情報計測装置４４から取得された計測値がＲＡＭ４４０の環境センサ第二バッファ領域４２２に記憶され、ＲＦＩＤタグ１５４から取得された計測値（識別情報）が識別情報第一記憶領域４３１に記憶される。
【０２４３】
次に第４の実施形態における制御機器リスト決定処理（図１４、Ｓ２）について説明する。図５６は第４の実施形態における制御機器リスト決定処理のフローチャートである。
【０２４４】
図５６に示す第４の実施形態における制御機器リスト決定処理が開始されるとまず、生体センサ第二バッファ領域４０２が更新された状態（上述の第一フラグが立っている状態）若しくは環境センサ第二バッファ領域４２２が更新された状態（上述の第二フラグが立っている状態）のいずれかであることを示すフラグである第四フラグを０に初期化する（Ｓ２４１）。ここで、第四フラグは第一〜第三フラグ同様に作業領域４０４に記憶する。
【０２４５】
次に、作業領域４０４に第一フラグが立っているか否かを判断する（Ｓ２４２）。第一フラグが立っていない場合は生体センサ第二バッファ領域４０２が更新されていないので（Ｓ２４２：ｎｏ）、後述するＳ２４５に移行する。
【０２４６】
第一フラグが立っている場合は生体センサ第二バッファ領域４０２が更新されているので（Ｓ２４２：ｙｅｓ）、生体状態推論処理において、接触温度センサ１３、心拍センサ１４、発汗センサ１５から取得された計測値に基づいて生体状態推論値を算出し、ＲＡＭ４３０の生体状態推論値記憶領域４０３に記憶する（Ｓ２４３）。生体状態推論処理（Ｓ２４３）は、図１６に示したフローチャートのＳ２０１からＳ２０７までの処理と同様であるので、説明は省略する。
【０２４７】
生体状態推論処理（Ｓ２４３）を終了すると、作業領域４０４に第四フラグを立て（Ｓ２４４）、作業領域４０４に第二フラグが立っているか否かを判断する（Ｓ２４５）。
【０２４８】
第二フラグが立っていない場合は環境センサ第二バッファ領域４２２が更新されていないので（Ｓ２４５：ｎｏ）、後述するＳ２４８に移行する。
【０２４９】
第二フラグが立っている場合は環境センサ第二バッファ領域４２２が更新されているので（Ｓ２４５：ｙｅｓ）、環境状態推論処理において、環境情報計測装置４４から取得された計測値に基づいて環境状態推論値を算出し、ＲＡＭ４４０の環境状態推論値記憶領域４２３に記憶する（Ｓ２４６）。環境状態推論処理（Ｓ２４６）は、図３６に示したフローチャートのＳ２２１からＳ２２８までの処理と同様であるので、説明は省略する。
【０２５０】
環境状態推論処理（Ｓ２４６）を終了すると、作業領域４０４に第四フラグを立て（Ｓ２４７）、作業領域４０４に第三フラグが立っているか否かを判断する（Ｓ２４８）。
【０２５１】
第三フラグが立っている場合は識別情報を受信したと判断できるので、作業領域４０４の第三フラグを０に戻し（Ｓ２４８：ＹＥＳ）、識別情報第一記憶領域４３１に記憶されている識別情報を識別情報第二記憶領域４３２に記憶し、遠近情報記憶領域４３３に近づいたことを示す情報である遠近情報として遠近情報フラグを立てる（Ｓ２５１）。
【０２５２】
そして、生体状態推論値記憶領域４０３に記憶されている生体状態推論値と、環境状態推論値記憶領域４２３に記憶されている環境状態推論値と、識別情報第一記憶領域４３１に記憶されている識別情報と、制御機器リスト決定テーブル３４５とに基づいて、ディスプレイ２に表示させる制御機器リストを決定する（Ｓ２５４）。その後メイン処理に戻る。
【０２５３】
第三フラグが立っていない場合は識別情報を受信していないと判断できるので（Ｓ２４８：ＮＯ）、識別情報第二記憶領域４３２に識別情報が記憶されているか否かを判断する（Ｓ２４９）。
【０２５４】
識別情報第二記憶領域４３２に識別情報が記憶されている場合は（Ｓ２４９：ＹＥＳ）、識別情報第二記憶領域４３２に記憶されている識別情報を、識別情報第一記憶領域４３１に記憶し、識別情報第二記憶領域４３２に記憶された識別情報を消去し、遠近情報記憶領域４３３に離れたことを示す情報として遠近情報フラグを０に戻す（Ｓ２５２）。その後、Ｓ２５４へ移行し、ディスプレイ２に表示する制御機器リストを決定する。
【０２５５】
識別情報第二記憶領域４３２に識別情報が記憶されていない場合は（Ｓ２４９：ｎｏ）、作業領域４０４に第四フラグが立っているか否かを判断する（Ｓ２５０）。
【０２５６】
第四フラグが立っている場合は（Ｓ２５０：ｙｅｓ）、生体センサ第二バッファ領域４０２若しくは環境センサ第二バッファ領域４２２のいずれかが更新されているので、遠近情報記憶領域４３３に離れたことを示す情報として遠近情報フラグを０に戻す（Ｓ２５３）。その後、Ｓ２５４へ移行し、ディスプレイ２に表示する制御機器リストを決定する。このとき、識別情報第一記憶領域４３１に記憶されている識別情報は存在せず、識別情報第二記憶領域４３２に記憶された識別情報は存在しない。
【０２５７】
第四フラグが立っていいない場合は生体センサ第二バッファ領域４０２及び環境センサ第二バッファ領域４２２のいずれかも更新されていないので（Ｓ２５０：ｎｏ）、メイン処理のＳ６に進む。
【０２５８】
メイン処理のＳ３〜Ｓ７については、第１の実施形態と同様であるので説明を省略する。ただしＳ４の操作リスト表示処理のＳ４０１においては、第１の実施形態の操作項目リスト決定テーブル３０６に基づいてディスプレイ２に表示させる操作項目リストを決定するのではなく、図５４に示した操作項目リスト決定テーブル３４６と、選択された制御機器と、ユーザの生体情報により決定された生体状態（生体状態推論値）と、制御端末１０４の存在するまわりの環境情報により決定された環境状態（環境状態推論値）と、及び制御端末１０４の周囲に存在する対象物の識別情報と、遠近情報とに基づいてディスプレイ２に表示させる操作項目リストを決定する。
【０２５９】
次に本発明の第５の実施形態について説明する。尚、第５の実施形態について、第１の実施形態において説明したものと同様のものについては、第１の実施形態と同一の符号を用いて説明し、ここでは、第１の実施形態とは異なる部分についてのみ説明する。
【０２６０】
第５の実施形態においては、後述するようにディスプレイ２に制御機器操作項目リストを表示して、承認ボタン５が押下されると、表示中の制御機器操作項目に対応する制御信号を送信する。
【０２６１】
ここで制御機器操作項目とは、複数の制御機器６０の中から使用する制御機器を特定し、更にその制御機器の操作項目を特定するものである。制御機器操作項目リストとはこの制御機器操作項目のリストである。
【０２６２】
第５の実施形態の制御端末１０００について説明する。図５７は、制御端末１０００の電気的構成を示すブロック図である。また、制御端末１０００の外観は図１の制御端末１の外観と同様なので省略する。
【０２６３】
図５７に示すように、ハードディスク３００のの代わりに、ＣＰＵ２１にはハードディスク１３００が接続されているところだけが、制御端末１とは異なる。
【０２６４】
制御端末１０００のハードディスク１３００について説明する。図５８は、ハードディスク１３００の構成を示す模式図である。図５８に示すように、ハードディスク１３００には、制御機器操作項目リスト記憶領域１３０１、標準値生体情報テーブル３０３、生体状態テーブル３０４、制御機器操作項目リスト決定テーブル１３０５、送信データ決定テーブル３０７等が設けられている。
【０２６５】
制標準値生体情報テーブル３０３、生体状態テーブル３０４、送信データ決定テーブル３０７については上述の実施形態と同様であるので説明を省略する。
【０２６６】
制御機器操作項目リスト記憶領域１３０１について説明する。制御機器操作項目リスト記憶領域１３０１には上述の制御機器操作項目リストを記憶する領域である。例えば、制御機器操作項目として「オーディオ６５の電源をＯＮ」、「エアコン６６の温度を下げる」、「エアコン６６の電源をＯＮ」、「風呂給湯器６７のお湯張り（普通）」が上から順序にリストアップされている制御機器操作項目リストが記憶されている。
【０２６７】
制御機器操作項目リスト決定テーブル１３０５について説明する。図５９に制御機器操作項目リスト決定テーブル１３０５を示す。制御機器操作項目リスト決定テーブルには、いずれの生体状態の場合にいずれの制御機器操作項目リストを表示させるかが記憶されている。
【０２６８】
次に、本第５の実施形態での制御機器６０の制御を行なうために制御信号を送信する処理について説明する。第５の実施形態におけるメイン処理のフローチャートを図６０に示す。
【０２６９】
図６０に示すメイン処理は、ユーザが図示しない電源ボタンを操作して、制御端末１０００の電源が入力されることによって開始される。まず、接触温度センサ１３、心拍センサ１４、発汗センサ１５の計測値を取得するために、計測値取得処理を起動する（Ｓ１００１）。
【０２７０】
次に、計測値取得処理によって各センサから取得した計測値に基づいてディスプレイ２に表示させる制御機器操作項目リストを決定する制御機器操作項目リスト決定処理（Ｓ１００２）を行なう。
【０２７１】
次に、Ｓ１００２において決定された制御機器操作項目リストをディスプレイ２に表示する制御機器操作項目リスト表示処理（Ｓ１００３）が行なわれる。
【０２７２】
次にＳ４で選択された制御機器操作項目に対応するの制御信号を送信する制御信号送信処理を行なう（Ｓ１００４）。
【０２７３】
制御信号送信処理（Ｓ１００４）を終了すると、図示しない電源ボタンが押下されているか否かを検知する（Ｓ１００５）。電源ボタンが押下されていない場合は（Ｓ１００５：ＮＯ）、Ｓ１００２に戻る。電源ボタンが押下されている場合（Ｓ１００５：ＹＥＳ）は、全ての処理を終了する（Ｓ１００６）。
【０２７４】
メイン処理のＳ１００１は第１の実施形態におけるＳ１と同様であるので説明を省略する。また、メイン処理のＳ１００４は第１の実施形態におけるＳ５と同様であるので説明を省略する。また、メイン処理のＳ１００５は第１の実施形態におけるＳ６と同様であるので説明を省略する。また、メイン処理のＳ１００６は第１の実施形態におけるＳ７と同様であるので説明を省略する。
【０２７５】
メイン処理のＳ１００２は第１の実施形態におけるＳ２と殆ど同様であるため図１６を用いて説明する。図１６のＳ２０１〜Ｓ２０７は第１の実施形態と全く同じある。
【０２７６】
第１の実施形態と異なるところはＳ２０８において、制御機器リスト決定テーブル３０５に基づいて表示する制御機器リストを決定するのではなく、制御機器操作項目リスト決定テーブル１３０５に基づいて表示する制御機器操作項目リストを決定する。
【０２７７】
また、メイン処理のＳ１００３は第１の実施形態におけるＳ３と殆ど同様である。Ｓ１００３において、第１の実施形態と異なるところは制御機器リストを表示するのではなく、制御機器操作項目リストを表示することである（図２０、Ｓ３０１参照）。後は第１の実施形態と全く同じであるため説明を省略する。
【０２７８】
なお、本第５の実施形態において、メイン処理のＳ１００２及びＳ１００３を実行するＣＰＵ２１が「操作項目リスト表示制御手段」に相当する。メイン処理のＳ１００３を実行するＣＰＵ２１が「操作項目選択手段」に相当する。
【０２７９】
次に本発明の第６の実施形態について説明する。尚、第６の実施形態について、第１の実施形態において説明したものと同様のものについては、第１の実施形態と同一の符号を用いて説明し、ここでは、第１の実施形態とは異なる部分についてのみ説明する。
【０２８０】
第６の実施形態においては、後述するようにユーザが推論モードか通常モードかを選択できる。
【０２８１】
第６の実施形態の制御端末２０００について説明する。図６１は、制御端末２０００の外観図である。制御端末２０００には推論モードボタン２００１及び通常モードボタン２００２が設けられている。
【０２８２】
制御端末２０００の電気的構成は第１の実施形態の制御端末１の電気的構成と同様であるため説明を省略する。尚、推論モードボタン２００１及び通常モードボタン２００２はキー入力部３８に含まれる。
【０２８３】
次に、本第６の実施形態でのメイン処理のフローチャートを図６２に示す。第１の実施形態と異なるところは、Ｓ２００１、Ｓ２００２、Ｓ２００３の処理を行なうことである。その他のＳ１〜Ｓ７までの処理については第１の実施形態と同様であるため説明を省略する。
【０２８４】
第６の実施形態では、メイン処理のＳ１の処理を終了すると、モードの選択を受け付ける（Ｓ２００１）。ここでは、推論モードボタン２００１と通常モードボタン２００２とのどちらかからの信号を受け付ける。推論モードボタン２００１が押下されると、ＣＰＵ２１に推論モードボタン２００１が押下されたことを示す信号が送信される。
【０２８５】
次に、Ｓ２００１で受け付けた選択が推論モードであるか否かを判断する（Ｓ２００２）。推論モードが選択されていないと判断した場合は（Ｓ２００２：ｎｏ）、通常モードでの処理を実行する（Ｓ２００３）。
【０２８６】
通常モードでは全ての制御機器６０を表示する制御機器リストと、それぞれの制御機器６０に対応する全ての操作項目を表示する操作項目リストを表示させて、ユーザに操作させる。通常モードでは計測値に基づいて表示させるリストの順序を変化させない。
【０２８７】
通常モードでの処理については本発明の本質ではないので説明を省略する。通常モードでの処理を終了するとＳ６へ進む。
【０２８８】
推論モードが選択されたと判断した場合は（Ｓ２００２：ｙｅｓ）、Ｓ２の処理に移行する。後は第１の実施形態と同様に処理される。
【０２８９】
なお、本第６の実施形態において、メイン処理のＳ２００１を実行するＣＰＵ２１が「モード受け付け手段」に相当する。
【０２９０】
本発明の及び情報取得プログラムは、上記した実施形態に限定されるものではなく、本発明の要旨を逸脱しない範囲内において種々変更を加え得ることは勿論である。
【０２９１】
また、上記第１の実施形態では、予めハードディスク３００に標準値生体情報テーブル３０３、生体状態テーブル３０４、制御機器リスト決定テーブル３０５が記憶されているが、これらの情報をユーザが設定する標準値生体情報テーブル設定手段、生体状態テーブル設定手段、制御機器リスト決定テーブル設定手段を設けてもよい。たとえば、制御端末１の操作に「標準値生体情報テーブル設定」メニューを設ける。そして、ユーザは体調がよく、落ち着いている状態（しばらく安静にして息が上がっていない状態）で当該メニューを選択する。すると、制御端末では、各生体センサから生体情報を収集し、その値を標準値生体情報として標準値生体テーブルに記憶する。
【０２９２】
また、生体状態テーブル設定手段及び制御機器リスト決定テーブル設定手段としては、「生体状態テーブル設定」メニューの操作に設け、生体状態の名称、その状態での各生体センサの値の条件、その状態でのリストの表示順序の入力欄を設ける。そして、ユーザは自身の好みに合った生体状態の名称、その状態での各生体センサの値の条件、その状態で取得する情報を入力する。制御端末１は入力を受け付けると、生体状態テーブル及び制御機器リスト決定テーブルに記憶する。
【０２９３】
また、上記第１の実施形態では予め制御機器リスト記憶領域３０１に記憶されている制御機器リストの中から、計測値に基づいて表示する制御機器リストを決定したが、制御機器リスト記憶領域３０１には複数の制御機器６０の名称だけを記憶させておき、計測値に基づいてその名称を組み合わせて制御機器リストを作成し、それを表示するようにしてもよい。操作項目リストにおいても同様である。
【０２９４】
また、上記実施形態では、生体センサとして接触温度センサ１３、心拍センサ１４、発汗センサ１５を用い、環境センサとして温度センサ５１、湿度センサ５２、光センサ５３を用いたが、計測手段として用いるセンサはこれに限らない。例えば、生体センサとして、光センサ、温度センサ、湿度センサ、感圧センサなどを用いてもよく、環境センサとして、接触温度センサ、発汗センサ、心拍センサ、感圧センサなどを用いてもよい。
【０２９５】
また、上記第５の実施形態では複数の制御機器を制御する場合で説明したが、制御端末１０００で制御できる制御機器を例えばテレビ６３だけにして、テレビ６３の操作項目のリストである操作項目リストの表示を制御するようにしてもよい。
【０２９６】
また、上記実施形態では、制御機器６０を制御する送信データは、デバイスＩＤと操作ＩＤから成るが、制御機器６０の制御ができるならばそれ以外のデータでもよい。
【０２９７】
また、上記実施形態では、制御端末１は制御機器６０に直接、制御信号を送信したが、制御端末１から送信される全ての制御信号を中継装置に中継し、中継装置から各制御機器６０に制御信号を送信するようにしてもよい。
【０２９８】
また、上記第１の実施形態では、制御機器リスト、操作項目リスト、標準値生体情報テーブル３０３、生体状態テーブル３０４、制御機器リスト決定テーブル３０５、操作項目リスト決定テーブル３０６、送信データ決定テーブル３０７が予めハードディスク３００に記憶されているものとして説明したが、これらハードディスク３００に記憶されるデータは適宜外部から取得して更新可能なようにしてもよい。
【０２９９】
たとえば、制御端末１で制御する制御機器６０を増やす場合に、増やす制御機器６０から制御機器リスト、操作項目リストを受信して、ハードディスク３００に追加したり、
標準値生体情報テーブル３０３、生体状態テーブル３０４、制御機器リスト決定テーブル３０５、操作項目リスト決定テーブル３０６、送信データ決定テーブル３０７等を書き換えるデータを受信して、標準値生体情報テーブル３０３、生体状態テーブル３０４、制御機器リスト決定テーブル３０５、操作項目リスト決定テーブル３０６、送信データ決定テーブル３０７等を書き換えるようにしたりしてもよい。
【図面の簡単な説明】
【０３００】
【図１】制御端末１の使用状況を説明する説明図。
【図２】端末端末１の電気的構成を説明するブロック図。
【図３】ハードディスク３００の構成を示す模式図。
【図４】制御機器リスト記憶領域３０１の模式図。
【図５】制御機器リストの模式図。
【図６】操作項目リスト記憶領域３０２の模式図。
【図７】操作項目リストの模式図。
【図８】標準値生体情報テーブル３０３の模式図。
【図９】生体状態テーブル３０４の模式図。
【図１０】制御機器リスト決定テーブル３０５の模式図。
【図１１】操作項目リスト決定テーブル３０６の模式図。
【図１２】送信データ決定テーブル３０７の模式図。
【図１３】ＲＡＭ４００の構成を示す模式図。
【図１４】第１の実施形態におけるメイン処理のフローチャート。
【図１５】第１の実施形態における計測値取得処理のフローチャート。
【図１６】第１の実施形態における制御機器リスト決定処理のフローチャート。
【図１７】心拍分類処理のフローチャート。
【図１８】体温分類処理のフローチャート。
【図１９】発汗量分類処理のフローチャート。
【図２０】制御機器リスト表示処理のフローチャート。
【図２１】ディスプレイ２に制御機器リストＣの先頭にリストアップされている制御機器６０の名称である「シャンデリア６１」が表示されている制御端末１の正面図。
【図２２】ディスプレイ２には制御機器リストＣの２番目にリストアップされている制御機器６０の名称である「フロアスタンド６２」が表示されている制御端末１の正面図。
【図２３】第１の実施形態における操作項目リスト表示処理のフローチャート。
【図２４】ディスプレイ２には操作項目リストａの先頭にリストアップされている操作項目の名称である「消灯」が表示されている制御端末１の正面図。
【図２５】ディスプレイ２には操作項目リストａの２番目にリストアップされている操作項目の名称である「常夜灯に変更」が表示されている制御端末１の正面図。
【図２６】第１の実施形態における制御信号送信処理のフローチャート。
【図２７】制御端末１０２の電気的構成を示すブロック図。
【図２８】ハードディスク３２０の構成を示す模式図。
【図２９】環境状態テーブル３２４の模式図。
【図３０】制御機器リスト決定テーブル３２５の模式図。
【図３１】制御機器リストの模式図。
【図３２】操作項目リスト決定テーブル３２６の模式図。
【図３３】操作項目リストの模式図。
【図３４】ＲＡＭ４２０の構成を示す模式図。
【図３５】第２の実施形態における計測値取得処理のフローチャート。
【図３６】第２の実施形態における制御機器リスト決定処理のフローチャート。
【図３７】第２の実施形態における気温分類処理のフローチャート。
【図３８】第２の実施形態における湿度分類処理のフローチャート。
【図３９】第２の実施形態における照度分類処理のフローチャート。
【図４０】第２の実施形態における音量分類処理のフローチャート。
【図４１】制御端末１０３の電気的構成を示すブロック図。
【図４２】物ごとにそれぞれ割り振られた識別情報を説明する説明図。
【図４３】ハードディスク３３０の構成を示す模式図。
【図４４】制御機器リスト決定テーブル３３５の模式図
【図４５】操作項目リスト決定テーブル３３６の模式図。
【図４６】制御機器リストの模式図。
【図４７】操作項目リストの模式図。
【図４８】ＲＡＭ４３０の構成を示す模式図。
【図４９】第３の実施形態における計測値取得処理のフローチャート。
【図５０】第３の実施形態における制御機器リスト決定処理のフローチャート。
【図５１】制御端末１０４の電気的構成を示すブロック図。
【図５２】ハードディスク３４０の構成を示す模式図。
【図５３】制御機器リスト決定テーブル３４５の模式図。
【図５４】操作項目リスト決定テーブル３４６の模式図。
【図５５】ＲＡＭ４４０の構成を示す模式図。
【図５６】第４の実施形態における制御機器リスト決定処理のフローチャート。
【図５７】制御端末１０００の電気的構成を示すブロック図。
【図５８】ハードディスク１３００の構成を示す模式図。
【図５９】制御機器操作項目リスト決定テーブル１３０５の模式図。
【図６０】第５の実施形態におけるメイン処理のフローチャート。
【図６１】制御端末２０００の外観図。
【図６２】第６の実施形態でのメイン処理のフローチャート。
【符号の説明】
【０３０１】
１、１０２、１０３、１０４、１０００、２０００  制御端末
２  ディスプレイ
５  承認ボタン
６  否認ボタン
１３  接触温度センサ
１４  心拍センサ
１５  発汗センサ
２１  ＣＰＵ
２３  ＲＯＭ
３８  キー入力部
４２、４３、４６  Ｉ／Ｆ回路
４４  環境情報計測装置
４５  送信部
５１  温度センサ
５２  湿度センサ
５３  照度センサ
５４  音センサ
１５４  ＲＦＩＤタグ
３００、３２０、３３０、３４０、１３００  ハードディスク
４００、４２０、４３０、４４０  ＲＡＭ
２００１  推論モードボタン
２００２  通常モードボタン
【図１】
2007158565.tif 000003
【図２】
2007158565.tif 000004
【図３】
2007158565.tif 000005
【図４】
2007158565.tif 000006
【図５】
2007158565.tif 000007
【図６】
2007158565.tif 000008
【図７】
2007158565.tif 000009
【図８】
2007158565.tif 000010
【図９】
2007158565.tif 000011
【図１０】
2007158565.tif 000012
【図１１】
2007158565.tif 000013
【図１２】
2007158565.tif 000014
【図１３】
2007158565.tif 000015
【図１４】
2007158565.tif 000016
【図１５】
2007158565.tif 000017
【図１６】
2007158565.tif 000018
【図１７】
2007158565.tif 000019
【図１８】
2007158565.tif 000020
【図１９】
2007158565.tif 000021
【図２０】
2007158565.tif 000022
【図２１】
2007158565.tif 000023
【図２２】
2007158565.tif 000024
【図２３】
2007158565.tif 000025
【図２４】
2007158565.tif 000026
【図２５】
2007158565.tif 000027
【図２６】
2007158565.tif 000028
【図２７】
2007158565.tif 000029
【図２８】
2007158565.tif 000030
【図２９】
2007158565.tif 000031
【図３０】
2007158565.tif 000032
【図３１】
2007158565.tif 000033
【図３２】
2007158565.tif 000034
【図３３】
2007158565.tif 000035
【図３４】
2007158565.tif 000036
【図３５】
2007158565.tif 000037
【図３６】
2007158565.tif 000038
【図３７】
2007158565.tif 000039
【図３８】
2007158565.tif 000040
【図３９】
2007158565.tif 000041
【図４０】
2007158565.tif 000042
【図４１】
2007158565.tif 000043
【図４２】
2007158565.tif 000044
【図４３】
2007158565.tif 000045
【図４４】
2007158565.tif 000046
【図４５】
2007158565.tif 000047
【図４６】
2007158565.tif 000048
【図４７】
2007158565.tif 000049
【図４８】
2007158565.tif 000050
【図４９】
2007158565.tif 000051
【図５０】
2007158565.tif 000052
【図５１】
2007158565.tif 000053
【図５２】
2007158565.tif 000054
【図５３】
2007158565.tif 000055
【図５４】
2007158565.tif 000056
【図５５】
2007158565.tif 000057
【図５６】
2007158565.tif 000058
【図５７】
2007158565.tif 000059
【図５８】
2007158565.tif 000060
【図５９】
2007158565.tif 000061
【図６０】
2007158565.tif 000062
【図６１】
2007158565.tif 000063
【図６２】
2007158565.tif 000064